(57)【特許請求の範囲】
【請求項１】
載置面上の複数の抽選体を上方に付勢する付勢部と、
前記載置面の中央部から上方に突出する抽選機構であって、前記付勢部により付勢された前記複数の抽選体のうち当該抽選機構に上方から到達した２以上の抽選体の何れかを選択する抽選機構と、
前記抽選機構により選択された前記抽選体を目標地点まで搬送する搬送機構と、
前記抽選機構における特定の地点に到達した前記抽選体を検出する第１検出機構と、
前記第１検出機構が前記抽選体を検出したことを遊技者に報知する報知装置と
を具備する抽選装置。
【請求項２】
複数の抽選体を上方に付勢する付勢部と、
前記付勢部により付勢された前記複数の抽選体のうちの何れかを目標地点まで誘導する誘導機構と、
前記誘導機構において前記目標地点までの経路上の地点に到達した前記抽選体を検出する第１検出機構と、
前記第１検出機構が前記抽選体を検出したことを遊技者に報知する報知装置とを具備し、
前記誘導機構は、
前記抽選体が載置される第１抽選面であって前記抽選体が進入する第１抽選孔が形成された第１抽選面を含む第１部材と、
前記抽選体が載置される第２抽選面であって前記抽選体が進入する第２抽選孔が形成された第２抽選面を含み、鉛直方向における前記第１部材の下方に位置する第２部材と、
前記第１部材と前記第２部材との間の空間を包囲し、開口が形成された周壁部とを含み、
前記抽選体は、前記第１抽選孔および前記第２抽選孔を経由して前記目標地点に誘導され、
前記第２抽選面から前記開口を通過した前記抽選体は、前記複数の抽選体が付勢される抽選空間に移動する
抽選装置。
【請求項３】
複数の抽選体を上方に付勢する付勢部と、
前記付勢部により付勢された前記複数の抽選体のうちの何れかを目標地点まで誘導する誘導機構と、
前記誘導機構において前記目標地点までの経路上の地点に到達した前記抽選体を検出する第１検出機構と、
前記第１検出機構が前記抽選体を検出したことを遊技者に報知する報知装置とを具備し、
前記誘導機構は、
前記抽選体が載置される第１抽選面であって前記抽選体が進入する第１抽選孔が形成された第１抽選面を含む第１部材と、
前記抽選体が載置される第２抽選面であって前記抽選体が進入する第２抽選孔が形成された第２抽選面を含み、鉛直方向における前記第１部材の下方に位置する第２部材と、
前記第１抽選孔および前記第２抽選孔を通過した前記抽選体を前記目標地点まで搬送する搬送経路とを含む
抽選装置。
【請求項４】
前記搬送経路は、前記第１部材および前記第２部材を貫通し、前記抽選体を鉛直方向の上方に搬送する部分を含む
請求項３の抽選装置。
【請求項５】
複数の抽選体を上方に付勢する付勢部と、
前記付勢部により付勢された前記複数の抽選体のうちの何れかを目標地点まで誘導する誘導機構と、
前記誘導機構において前記目標地点までの経路上の地点に到達した前記抽選体を検出する第１検出機構と、
前記第１検出機構が前記抽選体を検出したことを遊技者に報知する報知装置とを具備し、
前記誘導機構は、
前記抽選体が載置される第１抽選面であって前記抽選体が進入する第１抽選孔が形成された第１抽選面を含む第１部材と、
前記第１抽選面における前記第１抽選孔の外側の周縁に沿って前記第１抽選面から突出する突起部とを含み、
前記抽選体は、前記第１抽選孔を経由して前記目標地点に誘導され、
前記突起部は、前記第１抽選面に交差する方向に移動可能である
抽選装置。
【請求項６】
前記第１検出機構は、前記第１抽選孔に進入した前記抽選体を検出する
請求項２から請求項５の何れかの抽選装置。
【請求項７】
気体の噴射により複数の抽選体を上方に付勢する噴射口と、
前記付勢された前記複数の抽選体のうちの何れかを目標地点まで誘導する誘導機構と、
前記誘導機構に対して前記噴射口を移動させる駆動機構と、
前記誘導機構において前記目標地点までの経路上の地点に到達した前記抽選体を検出する第１検出機構と、
前記第１検出機構が前記抽選体を検出したことを遊技者に報知する報知装置と
を具備する抽選装置。
【請求項８】
前記報知装置は、前記抽選体が前記目標地点に移動する過程において、当該移動に並行して、前記抽選体の検出を報知する
請求項１から請求項７の何れかの抽選装置。
【請求項９】
前記複数の抽選体の各々には、複数の抽選要素の何れかが割当てられ、
前記第１検出機構が検出した前記抽選体に割当てられた抽選要素を特定する要素特定部を具備し、
前記報知装置は、前記要素特定部が特定した抽選要素を前記遊技者に報知する
請求項１から請求項８の何れかの抽選装置。
【請求項１０】
前記第１検出機構は、
前記抽選体に設置された送信機から当該抽選体の識別情報を受信する検出装置と、
前記抽選体を回転させる回転機構とを含む
請求項１から請求項９の何れかの抽選装置。
【請求項１１】
前記目標地点に到達した前記抽選体を検出する第２検出機構を具備し、
前記報知装置は、前記第２検出機構が前記抽選体を検出したことを前記遊技者に報知する
請求項１から請求項１０の何れかの抽選装置。
【発明の詳細な説明】
【技術分野】
【０００１】
本発明は、抽選装置に関する。
【背景技術】
【０００２】
例えば球体等の抽選体を利用した抽選装置が従来から提案されている。特許文献１には、抽選盤に形成された複数の抽選孔のうちの何れかに抽選体を進入させる抽選装置が開示されている。
【先行技術文献】
【特許文献】
【０００３】
【特許文献１】特許第５３８３６００号公報
【発明の概要】
【発明が解決しようとする課題】
【０００４】
しかし、特許文献１の技術においては、遊技者は、１個の抽選体が複数の抽選孔の何れかに進入するまで待機するだけであり、物理抽選の過程が単調であるという課題がある。以上の事情を考慮して、本発明のひとつの態様は、興趣性が高い特徴的な物理抽選を実現することを目的とする。
【課題を解決するための手段】
【０００５】
以上の課題を解決するために、本発明のひとつの態様に係る抽選装置は、複数の抽選体を上方に付勢する付勢部と、前記付勢部により付勢された前記複数の抽選体のうちの何れかを目標地点まで誘導する誘導機構と、前記誘導機構において前記目標地点までの経路上の地点に到達した前記抽選体を検出する第１検出機構と、前記第１検出機構が前記抽選体を検出したことを遊技者に報知する報知装置とを具備する。
【図面の簡単な説明】
【０００６】
【図１】第１実施形態に係るゲーム装置の構成を例示する側面図である。
【図２】ゲーム装置の平面図である。
【図３】抽選体の正面図である。
【図４】抽選装置の断面図である。
【図５】抽選装置の平面図である。
【図６】抽選機構の断面図である。
【図７】第１検出機構の構成を例示するブロック図である。
【図８】突起部の状態を例示する説明図である。
【図９】周壁部における第２抽選孔の近傍の部分を拡大した斜視図である。
【図１０】搬送機構の側面図である。
【図１１】ゲーム装置の機能的な構成を例示するブロック図である。
【図１２】制御装置の機能を例示するブロック図である。
【図１３】遊技カードの説明図である。
【図１４】報知画像および報知音声の説明図である。
【図１５】報知画像および報知音声の説明図である。
【図１６】制御処理の具体的な手順を例示するフローチャートである。
【図１７】第２実施形態における載置部材の構成を例示する平面図である。
【図１８】第３実施形態における載置部材および噴射機構の平面図および断面図である。
【図１９】第３実施形態の変形例における載置部材および噴射機構の平面図および断面図である。
【図２０】第４実施形態における載置部材のうちノズルの近傍の構成図である。
【図２１】第５実施形態における載置部材および噴射機構の平面図および断面図である。
【図２２】第６実施形態における支持機構および報知装置の構成を例示する側面図である。
【図２３】変形例における第１部材の側面図である。
【図２４】変形例における載置部材および噴射機構の平面図および断面図である。
【図２５】変形例における載置部材および噴射機構の断面図である。
【図２６】変形例における載置部材および噴射機構の断面図である。
【発明を実施するための形態】
【０００７】
図面を参照しながら本発明の実施の形態を説明する。以下に記載する実施の形態は、技術的に好適な種々の限定を含む。本発明の範囲は、以下に例示する形態には限定されない。
【０００８】
［第１実施形態］
図１は、第１実施形態に係るゲーム装置１００の側面図であり、図２は、鉛直方向の上方からみたゲーム装置１００の平面図である。ゲーム装置１００は、例えば遊技施設に設置される遊技システムである。遊技施設は、例えばゲームセンターまたはカジノ等の娯楽施設、またはショッピングセンター等の商業施設である。ゲーム装置１００は、遊技施設内の遊技者に抽選ゲームを提供する。なお、ゲーム装置１００は、単体の装置として実現されるほか、相互に別体で構成された複数の装置の集合（すなわちシステム）としても実現される。
【０００９】
遊技者は、遊技媒体を使用することで抽選ゲームをプレイする。遊技媒体は、抽選ゲームに使用される有体または無体の価値媒体である。有体の遊技媒体は、例えばトークンコイン（メダル）、コイン（貨幣）またはチケットである。無体の遊技媒体は、例えば電子メダル、クレジットまたはポイントである。無体の遊技媒体の数量は、例えばＩＣカード等の記録媒体に電子データとして記憶される。遊技者は、遊技媒体の使用により抽選ゲームをプレイし、当該抽選ゲームの進行に応じた数量の遊技媒体を報酬として獲得する。抽選ゲームのプレイのために使用される遊技媒体と遊技者に報酬として付与される遊技媒体とは、同種および異種の何れでもよい。遊技媒体の使用は、遊技媒体の投入または消費（あるいはベット）とも換言され、遊技媒体の付与は、遊技媒体の払出とも換言される。
【００１０】
なお、遊技者は、抽選ゲームにおいて使用される遊技媒体を、当該遊技媒体とは別種の価値媒体と引換に取得してもよい。例えばトークンコイン（メダル）、コイン（貨幣）または電子マネー等の各種の価値媒体の所定量と引換に、遊技者は、抽選ゲームにて使用されるクレジット等の遊技媒体を取得する。以上の説明から理解される通り、抽選ゲームにて使用される遊技媒体と、当該遊技媒体の取得（例えば購入）のために消費される価値媒体と、遊技者に報酬として付与される遊技媒体とは、同種および異種の何れでもよい。
【００１１】
図１および図２に例示される通り、第１実施形態のゲーム装置１００は、抽選装置１０と複数の遊技ユニット２０と支持機構３０と報知装置４０とを具備する。抽選装置１０は、鉛直方向からの平面視で概略的には円形状に構成された構造体である。以下の説明においては、鉛直方向に延在する軸線Ｃを想定する。軸線Ｃは抽選装置１０の中心軸である。軸線Ｃを中心とする任意の直径の円形における円周に沿う方向を、以下の説明においては「周方向」と表記する。
【００１２】
抽選装置１０は、複数の抽選体Ｂを利用した物理抽選を実行する。抽選装置１０を利用した物理抽選は、複数の抽選体Ｂの何れかを無作為に選択する動作である。複数の抽選体Ｂの各々には相異なる抽選番号（抽選要素の一例）が割当てられる。したがって、抽選装置１０を利用した物理抽選は、複数の抽選番号の何れかを無作為に選択する動作とも換言される。
【００１３】
図３は、１個の抽選体Ｂの正面図である。第１実施形態の抽選体Ｂは、例えば多孔質材料により形成された軽量（例えば７ｇ〜１０ｇ）な球体である。各抽選体Ｂの表面には、当該抽選体Ｂに割当てられた抽選番号が印刷または貼付される。図３に例示される通り、各抽選体Ｂには送信機Ｄが設置される。送信機Ｄは、当該抽選体Ｂの識別情報を近距離無線により送信するＲＦ（Radio Frequency）タグである。送信機Ｄから送信される電波は特定の方向に指向する。各抽選体Ｂの識別情報は、複数の抽選番号の何れかに対応する。したがって、各抽選体Ｂから送信される識別情報から、当該抽選体Ｂに割当てられた抽選番号を特定することが可能である。
【００１４】
図１および図２における複数の遊技ユニット２０の各々は、遊技者が抽選ゲームをプレイするために使用するユニットである。複数の遊技ユニット２０は、抽選装置１０を包囲するように周方向に配列される。複数の遊技ユニット２０において抽選ゲームが並列に進行する。すなわち、１個の抽選装置１０を利用して遊技ユニット２０の台数分の遊技者が同時に抽選ゲームをプレイできる。なお、複数の遊技ユニット２０において並列に進行する抽選ゲームの種類は共通しても相違してもよい。各遊技ユニット２０は、受付装置２１と表示装置２２と操作装置２３とを具備する。
【００１５】
受付装置２１は、例えばトークンコイン等の有体の遊技媒体が投入される投入装置と、有体の遊技媒体を報酬として払出する払出装置とを具備する（図示略）。ただし、例えば電子メダルまたはクレジット等の無体の遊技媒体を取扱う場合、受付装置２１は、投入装置に代えて、例えばＩＣカード等の記録媒体から読出す読出装置を具備し、払出装置に代えて、例えば無体の遊技媒体を記録媒体に書込む書込装置を具備する。有体の遊技媒体と無体の遊技媒体との双方を取扱う構成においては、受付装置２１は、以上に例示した全部の装置を具備する。
【００１６】
表示装置２２は、各種の画像を表示する。例えば液晶表示パネルまたは有機ＥＬ（ElectroLuminescence）表示パネル等の平板型の表示パネルが表示装置２２として利用される。例えば抽選ゲームの進行を表す画像が表示装置２２に表示される。操作装置２３は、遊技者による操作を受付ける。例えば遊技者による接触を検知するタッチパネル、または、遊技者が操作する操作子が、操作装置２３として利用される。
【００１７】
支持機構３０は、抽選装置１０の上方に位置する報知装置４０を支持する構造体である。支持機構３０の上方の部分における各側面に報知装置４０が設置される。報知装置４０は、映像と音声とを含む動画を再生することで遊技者に各種の上方を報知する。具体的には、報知装置４０は、図１に例示される通り、映像を表示する表示装置４１と、音声を放音する放音装置４２とを具備する。表示装置４１は、例えば液晶表示パネルまたは有機ＥＬ表示パネル等の表示パネルである。放音装置４２は、例えばスピーカである。したがって、各遊技ユニット２０を使用する遊技者は、当該遊技ユニット２０の表示装置２２に表示される画像から各種の情報を知得できるほか、報知装置４０が再生する動画からの各種の情報を知得できる。なお、表示装置４１と放音装置４２とを相互に別体として設置してもよい。なお、報知装置４０は、各遊技ユニット２０を使用する遊技者だけでなく、遊技施設内の他の遊技者にも各種の情報を報知できる。例えば、ゲーム装置１００に関する情報だけでなく、遊技施設内で提供される各種のサービスに関する情報を、報知装置４０により遊技施設内の多数の遊技者に報知してもよい。
【００１８】
［抽選装置１０］
図４は、軸線Ｃを含む断面における抽選装置１０の断面図である。図５は、鉛直方向の上方からみた抽選装置１０の平面図である。図４および図５に例示される通り、抽選装置１０は、基礎構造体１１と載置部材１２と噴射機構１３とカバー部材１４と駆動機構１５と誘導機構１６とを具備する。なお、図５においてはカバー部材１４の図示が便宜的に省略されている。
【００１９】
基礎構造体１１は、抽選装置１０の各要素を支持する構造体である。具体的には、基礎構造体１１は、底面部１１１と側壁部１１２と支持部１１３とを具備する。底面部１１１は、例えば円形状または多角形状の板状部材である。側壁部１１２は、底面部１１１の周縁から鉛直方向の上方に突出する筒状部材である。支持部１１３は、側壁部１１２の内側において底面部１１１に設置される。支持部１１３は、載置部材１２と噴射機構１３と駆動機構１５と誘導機構１６とを支持する構造体である。
【００２０】
載置部材１２は、側壁部１１２の内側に設置された構造体である。載置部材１２は、鉛直方向からの平面視で概略的には円盤にみえる形状である。載置部材１２は、軸線Ｃを中心として回転可能な状態で支持部１１３に支持される。載置部材１２の外周面は、側壁部１１２の内周面に所定の間隔をあけて対向する。載置部材１２には、軸線Ｃを中心とする円形状の開口Ｏが形成される。
【００２１】
第１実施形態の載置部材１２は、載置面Ｆaと設置面Ｆbとを具備する。載置面Ｆaは、載置部材１２における鉛直方向の上方の表面である。載置面Ｆaには複数の抽選体Ｂが載置される。設置面Ｆbは、載置面Ｆaとは反対側（すなわち鉛直方向の下方）の表面である。載置部材１２の外周面と側壁部１１２の内周面との間隔は、抽選体Ｂの外径を下回る。したがって、複数の抽選体Ｂは、載置面Ｆaの外周縁から落下しない。載置部材１２の外周縁の一部には切欠１２１が形成される。
【００２２】
噴射機構１３は、載置部材１２の下方に設置される。具体的には、載置部材１２の設置面Ｆbに噴射機構１３が固定される。したがって、載置部材１２が回転することで噴射機構１３も一体的に移動する。具体的には、噴射機構１３は、空気を噴射する管状のノズル１３１と、ノズル１３１に空気を供給する給気機構１３２（例えば給気ポンプ）とを具備する。ノズル１３１の先端の噴射口が鉛直方向からの平面視において載置部材１２の切欠１２１の内側に位置するように、噴射機構１３は載置部材１２の設置面Ｆbに固定される。噴射機構１３は、切欠１２１（ノズル１３１）に到来した抽選体Ｂに対して空気を噴射する。ノズル１３１の形状としては、空気を効率的に噴射するために最適な形状が選択される。例えば、切欠１２１の形状とノズル１３１の平面形状とが略同じ形状である構成が好適である。
【００２３】
載置部材１２の載置面Ｆaは、鉛直方向の軸線Ｃに対して全域が一方向に傾斜する傾斜面である。載置面Ｆaが水平面に対して傾斜すると換言してもよい。具体的には、載置面Ｆaは、軸線Ｃを挟んで切欠１２１とは反対側の周縁から切欠１２１に向けて降下する。すなわち、載置面は、ノズル１３１に向けて降下する傾斜面である。以上の構成においては、載置面Ｆaに載置された複数の抽選体Ｂは、自重により載置面Ｆa上を転動したり側壁部１１２の内周面に沿って転動したりすることで切欠１２１（ノズル１３１）に到達する。したがって、特別な機構を必要とせずに、載置面Ｆa上の複数の抽選体Ｂを切欠１２１（ノズル１３１）に集中させることができる。したがって、ノズル１３１からの空気の噴射により、複数の抽選体Ｂを効率的に載置面Ｆaから上昇させることが可能である。以上の説明から理解される通り、載置面Ｆaにおける傾斜面の降下の方向（具体的には高位側の地点から低位側の地点に向かう方向）がノズル１３１を向くように載置面Ｆaは移動する。
【００２４】
前述の通り複数の抽選体Ｂは充分に軽量に形成されるから、ノズル１３１からの空気の噴射により載置面Ｆaから上昇する。複数の抽選体Ｂは相異なる方向から相異なる速度でノズル１３１に到達するから、複数の抽選体Ｂの各々はノズル１３１からの空気の噴射により多様な方向に飛上がる。以上の説明から理解される通り、ノズル１３１は、載置面Ｆa上の複数の抽選体Ｂを鉛直方向の上方に付勢する付勢部として機能する。以上の構成によれば、複数の抽選体Ｂの各々が多様な軌道により移動する。ノズル１３１は、載置面Ｆa上の複数の抽選体Ｂを、当該載置面Ｆaの上方の空間（以下「抽選空間」という）Ｌ内に付勢する要素とも換言される。
【００２５】
誘導機構１６は、噴射機構１３により抽選空間Ｌ内に付勢された複数の抽選体Ｂの何れかを目標地点Ｑまで誘導する機構である。目標地点Ｑは、複数の抽選体Ｂのうち物理抽選により選択された抽選体Ｂが到達する地点である。すなわち、抽選体Ｂが目標地点Ｑに到達することで物理抽選における当該抽選体Ｂの選択が確定する。
【００２６】
第１実施形態の誘導機構１６は、抽選機構５０と搬送機構６０とを具備する。抽選機構５０は、抽選空間Ｌ内に付勢された複数の抽選体Ｂの何れかを無作為に選択する機構である。抽選機構５０は、載置部材１２の開口Ｏを介して支持部１１３に支持される。搬送機構６０は、抽選機構５０により選択された抽選体Ｂを目標地点Ｑに搬送する機構である。
【００２７】
カバー部材１４は、抽選空間Ｌを覆うように側壁部１１２と略同径の半球状に形成された中空の構造体である。カバー部材１４における周縁の部分が側壁部１１２に固定される。図４に例示から理解される通り、カバー部材１４の内周面（以下「案内面」という）１４１は、載置部材１２の載置面Ｆaに対向する曲面（例えば半球面）である。載置面Ｆaと案内面１４１との間の空間が、複数の抽選体Ｂを散乱させるための抽選空間Ｌとして利用される。カバー部材１４は、例えばアクリル樹脂等の光透過性の材料で形成される。したがって、遊技者は、抽選空間Ｌ内において複数の抽選体Ｂが散乱する様子を、カバー部材１４を介して視認できる。カバー部材１４の頂上部（軸線Ｃと交差する部分）には円形状の開口１４２が形成される。
【００２８】
案内面１４１は、載置部材１２と噴射機構１３と抽選機構５０とに対して鉛直方向の上方に位置する。噴射機構１３のノズル１３１は、案内面１４１に向けて空気を噴射する。すなわち、ノズル１３１は、複数の抽選体Ｂを案内面１４１に向けて付勢する。ノズル１３１からの空気の噴射により案内面１４１まで上昇した抽選体Ｂは、当該案内面１４１に沿って軸線Ｃに接近し、最終的には自重により落下する。なお、複数の抽選体Ｂのなかには、案内面１４１に到達することなく落下する抽選体Ｂもある。ノズル１３１からの空気の噴射により上昇した複数の抽選体Ｂの一部が抽選機構５０に対して上方から到達する。以上の構成によれば、抽選空間Ｌ内において散乱した多数の抽選体Ｂを、抽選機構５０に到達する場合と到達しない場合とに分かれるように付勢することが可能である。
【００２９】
駆動機構１５は、例えばモータ等の電動機で構成され、鉛直方向に沿う軸線Ｃを中心として載置部材１２を回転させる。すなわち、載置面Ｆaは軸線Ｃを中心として回転する。第１実施形態においては、前述の通り、噴射機構１３が載置部材１２に固定される。したがって、駆動機構１５が載置部材１２を回転させることで噴射機構１３も一体的に移動する。すなわち、駆動機構１５は、抽選機構５０に対して噴射機構１３のノズル１３１を移動させる。以上の説明から理解される通り、第１実施形態においては、載置部材１２の回転と噴射機構１３の回転とに駆動機構１５が兼用される。すなわち、載置部材１２を回転させる簡便な構成により、載置部材１２および噴射機構１３の双方が移動する。したがって、噴射機構１３および載置部材１２の各々を個別に駆動する構成と比較して、抽選装置１０の構成が簡素化される。ただし、噴射機構１３と載置部材１２とを個別に駆動してもよい。また、第１実施形態においては、噴射機構１３が載置面Ｆaとともに移動するから、複数の抽選体Ｂをノズル１３１に集中させながら当該ノズル１３１を移動させることが可能である。したがって、載置面Ｆaおよびノズル１３１が固定された構成と比較して、載置面Ｆa上の複数の抽選体Ｂが多様な軌道で散乱し、結果的に複数の抽選体Ｂを多様な方向から抽選機構５０に供給できる。
【００３０】
具体的には、噴射機構１３は、軸線Ｃを中心として周方向に移動する。すなわち、ノズル１３１は、鉛直方向からみて抽選機構５０の周囲を回転する。したがって、抽選機構５０に対して多様な方向から複数の抽選体Ｂを付勢できる。すなわち、抽選空間Ｌ内に複数の抽選体Ｂを散乱させることが可能である。以上の説明から理解される通り、駆動機構１５は、噴射機構１３のノズル１３１を回転させる機構とも換言される。
【００３１】
なお、噴射機構１３には例えば給電線を介して電力が供給される。給電線の捻れ等を抑制する観点から、載置部材１２および噴射機構１３の回転の範囲を制限する構成が好適である。具体的には、駆動機構１５は、例えば３６０°を下回る角度の範囲内において載置部材１２および噴射機構１３の回転の方向を周期的に反転させる。したがって、噴射機構１３は、３６０°を下回る角度の範囲内において周方向に往復する。噴射機構１３が到達しない範囲は、抽選装置１０の周囲において遊技ユニット２０が配置されていない範囲（例えば図２において支持機構３０が位置する範囲Ｇ）内に位置する構成が好適である。以上の構成によれば、複数の抽選体Ｂが上昇して抽選機構５０に進入する様子を、各遊技者が目前で視認できる。もっとも、給電線を利用しない構成により噴射機構１３に電力を供給してもよい。例えばスリップリングまたはロータリーコネクタ等の給電技術が利用される。給電線を利用しない構成では、載置部材１２および噴射機構１３を無制限に回転させることが可能である。
【００３２】
図６は、軸線Ｃを含む断面における抽選機構５０の断面図である。図５および図６に例示される通り、抽選機構５０は、第１部材５１と第２部材５２と周壁部５３と複数の誘導路５４と複数の突起部５５と駆動機構５６とを具備する。
【００３３】
第１部材５１は、図６に例示される通り、第１抽選面Ｆ1を含む円盤状の構造体である。第１抽選面Ｆ1は、第１部材５１における鉛直方向の上方の表面である。抽選空間Ｌ内において散乱する複数の抽選体Ｂのうち抽選機構５０に到達した抽選体Ｂは、まず、第１抽選面Ｆ1に落下し、当該第１抽選面Ｆ1上を転動しながら滞留する。第１抽選面Ｆ1には連続的または離散的な凹凸（図示略）が形成される。したがって、第１抽選面Ｆ1上において抽選体Ｂは不規則に転動する。第１抽選面Ｆ1上を転動する抽選体Ｂは、転動の方向次第で第１抽選面Ｆ1の周縁から落下する場合がある。第１抽選面Ｆ1の周縁から落下した抽選体Ｂは、載置部材１２の載置面Ｆaに落下する。
【００３４】
第１部材５１には複数の第１抽選孔Ｈ1が形成される。具体的には、軸線Ｃを挟んだ反対側に２個の第１抽選孔Ｈ1が形成される。各第１抽選孔Ｈ1は、第１部材５１を貫通する円形状の開口である。第１抽選孔Ｈ1の内径は抽選体Ｂの外径を上回る。したがって、抽選体Ｂは第１抽選面Ｆ1から第１抽選孔Ｈ1に進入可能である。なお、第１抽選孔Ｈ1の個数は任意である。例えば１個または３個以上の第１抽選孔Ｈ1が第１部材５１に形成されてもよい。以上の説明から理解される通り、第１抽選面Ｆ1に落下した抽選体Ｂは、第１抽選孔Ｈ1に進入する場合と第１抽選面Ｆ1の周縁か落下する場合とに分かれる。
【００３５】
各第１抽選孔Ｈ1には第１検出機構１７１が設置される。第１検出機構１７１は、第１抽選孔Ｈ1に進入した抽選体Ｂの有無と抽選体Ｂの識別情報とを検出する機構である。図７は、第１検出機構１７１の構成を例示するブロック図である。図７に例示される通り、第１検出機構１７１は、検出装置８１と回転機構８２とを具備する。
【００３６】
検出装置８１は、第１抽選孔Ｈ1に進入した抽選体Ｂの有無を検出するとともに、例えば電波を利用した近距離無線により当該抽選体Ｂの送信機Ｄから識別情報を受信する読取機である。回転機構８２は、第１抽選孔Ｈ1に進入した抽選体Ｂが検知された場合に当該抽選体Ｂを回転させる。例えば、回転機構８２は、相互に交差する２軸に沿って設置されたゴムローラで構成される。各ゴムローラの外周面が抽選体Ｂに接触する。したがって、抽選体Ｂは、２軸の各々を中心とした方向に回転する。抽選体Ｂの回転により、検出装置８１に対する送信機Ｄの方向が変化する。第１実施形態の回転機構８２は、抽選体Ｂを第１抽選孔Ｈ1内に保持した状態で当該抽選体Ｂを回転させる保持状態と、抽選体Ｂを第１抽選孔Ｈ1から鉛直方向の下方に放出する解放状態との一方から他方に遷移する。具体的には、回転機構８２は、通常は保持状態に維持される。そして、第１抽選孔Ｈ1に進入した抽選体Ｂの送信機Ｄから検出装置８１が識別情報を受信できた場合、回転機構８２は動作を停止して一時的に開放状態に遷移する。すなわち、第１抽選孔Ｈ1に進入した抽選体Ｂは当該第１抽選孔Ｈ1の内部に一時的に保持され、検出装置８１による識別情報の受信後に当該第１抽選孔Ｈ1から鉛直方向の下方に放出される。
【００３７】
送信機Ｄから送信される電波は特定の方向に指向するから、抽選体Ｂが第１抽選孔Ｈ1に進入した直後の初期的な状態では、検出装置８１が送信機Ｄからの電波を受信できない可能性がある。第１実施形態においては、第１抽選孔Ｈ1に進入した抽選体Ｂが回転するから、抽選体Ｂが初期的に何れの方向にあっても、検出装置８１は当該抽選体Ｂの送信機Ｄから識別情報を適切に受信できる。すなわち、指向性がある近距離無線を採用しても、抽選体Ｂの送信機Ｄから識別情報を適切に受信できる。
【００３８】
第１部材５１には複数の突起部５５が設置される。第１抽選孔Ｈ1毎に突起部５５が設置される。各第１抽選孔Ｈ1に対応する突起部５５は、第１抽選面Ｆ1における当該第１抽選孔Ｈ1の外側の周縁に沿って第１抽選面Ｆ1から突出する壁状部材である。第１抽選孔Ｈ1の外側の周縁とは、第１抽選孔Ｈ1を挟んで軸線Ｃとは反対側の周縁を意味する。すなわち、突起部５５と軸線Ｃとの間に第１抽選孔Ｈ1が位置する。
【００３９】
第１実施形態の各突起部５５は、鉛直方向（すなわち第１抽選面Ｆ1に交差する方向）の上方および下方に移動可能である。具体的には、図８に例示される通り、突起部５５は、第１抽選面Ｆ1から鉛直方向の上方に突出する有効状態と、第１抽選面Ｆ1から突出しない無効状態との何れかに制御される。突起部５５が有効状態にある場合、第１抽選面Ｆ1の周縁に到達した抽選体Ｂは突起部５５に衝突する。したがって、当該周縁から抽選体Ｂが落下することが阻害される。他方、突起部５５が無効状態にある場合、抽選体Ｂは突起部５５に衝突することなく第１抽選面Ｆ1から落下する。なお、第１抽選面Ｆ1の周縁において突起部５５が設置されていない範囲に抽選体Ｂが到達した場合、突起部５５の状態に関わらず抽選体Ｂは第１抽選面Ｆ1から落下する。以上の説明から理解される通り、突起部５５が有効状態にある場合には、無効状態にある場合と比較して、抽選体Ｂが第１抽選面Ｆ1上に維持される可能性が高い。すなわち、突起部５５を有効状態に制御することで、抽選体Ｂが第１抽選孔Ｈ1に進入する頻度を高めることが可能である。第１実施形態においては特に、突起部５５が移動可能であるから、抽選体Ｂが第１抽選面Ｆ1から落下せずに第１抽選孔Ｈ1に進入する頻度を、突起部５５の状態（有効状態／無効状態）に応じて調整できる。
【００４０】
第１抽選孔Ｈ1に抽選体Ｂが進入する頻度が突起部５５の状態に応じて制御される結果、抽選ゲームの１回分の時間（ゲーム時間）が調整される。具体的には、突起部５５を有効状態に制御することで、突起部５５が無効状態にある場合と比較してゲーム時間は短縮される。例えば、１回の抽選ゲームにおいては、所定個の抽選体Ｂが物理抽選により選択される。以上の構成においては、１回の抽選ゲームにおいて抽選体Ｂの選択が進行する（すなわち選択済の抽選体Ｂが所定個に近付く）ほど、抽選空間Ｌ内において散乱する抽選体Ｂの個数は減少する。したがって、第１抽選孔Ｈ1に抽選体Ｂが進入する頻度が低下し、結果的にゲーム時間が長引く可能性がある。第１実施形態においては、突起部５５を有効状態に制御することで抽選体Ｂが第１抽選孔Ｈ1に進入し易くなるから、前述の通り、１回の抽選ゲームのための時間を短縮することが可能である。
【００４１】
なお、複数の突起部５５が設置された構成においては、複数の突起部５５を共通の状態に制御するほか、突起部５５毎に状態を個別に制御してもよい。すなわち、突起部５５毎に状態（有効状態／無効状態）を相違させてもよい。２個の突起部５５のうちの一方を有効状態に制御するとともに他方を無効状態に制御してもよい。また、以上の説明においては突起部５５を有効状態と無効状態との何れかに制御したが、第１抽選面Ｆ1からの突出量が相違する複数の状態に突起部５５を多値的に制御してもよい。
【００４２】
図６の第２部材５２は、鉛直方向における第１部材５１の下方に位置する。第２部材５２は、第２抽選面Ｆ2を含む円盤状の構造体である。第２抽選面Ｆ2は、第２部材５２における鉛直方向の上方の表面である。第１部材５１の第１抽選孔Ｈ1を通過した抽選体Ｂは、第２抽選面Ｆ2に落下し、当該第２抽選面Ｆ2上を転動しながら滞留する。第２抽選面Ｆ2には連続的または離散的な凹凸（図示略）が形成される。したがって、第２抽選面Ｆ2上において抽選体Ｂは不規則に転動する。
【００４３】
第２部材５２には複数の第２抽選孔Ｈ2が形成される。具体的には、軸線Ｃを挟んだ反対側に２個の第２抽選孔Ｈ2が形成される。各第２抽選孔Ｈ2は、第２部材５２を貫通する円形状の開口である。第２抽選孔Ｈ2の内径は抽選体Ｂの外径を上回る。したがって、抽選体Ｂは第２抽選面Ｆ2から第２抽選孔Ｈ2に進入可能である。第２抽選孔Ｈ2に進入した抽選体Ｂは、搬送機構６０により目標地点Ｑまで搬送される。以上の説明から理解される通り、抽選体Ｂは、第１抽選孔Ｈ1と第２抽選孔Ｈ2との双方を経由して目標地点Ｑに誘導される。なお、第２抽選孔Ｈ2の個数は任意である。例えば１個または３個以上の第２抽選孔Ｈ2が第２部材５２に形成されてもよい。
【００４４】
第２部材５２は、軸線Ｃを中心として回転可能である。駆動機構５６は、例えばモータ等の電動機で構成され、軸線Ｃを中心として第２部材５２を回転させる。第２部材５２を回転させることで、第２抽選面Ｆ2上の抽選体Ｂは外周縁に向けて付勢される。以上のように第２抽選面Ｆ2上において抽選体Ｂを転動させることで第２抽選孔Ｈ2に抽選体Ｂが進入する頻度が低下する。したがって、第２部材５２が固定された構成と比較して、抽選体Ｂが目標地点Ｑに到達する難易度が上昇する。また、第２抽選面Ｆ2の内周縁の近傍に抽選体Ｂが滞留することが抑制される。他方、第１部材５１は回転しない。第１部材５１が回転しない構成によれば、第１検出機構１７１を第１部材５１に設置するための構成が簡素化される。なお、第１部材５１を第２部材５２と同様に回転させる構成、または、第２部材５２を回転させない構成も想定される。
【００４５】
周壁部５３は、第１部材５１と第２部材５２との間の空間を包囲する円筒状の構造体である。周壁部５３は、第１部材５１および第２部材５２の各々の外周縁に沿う。具体的には、周壁部５３の外周面は、第１部材５１の外周面に接合される。また、周壁部５３の内周面は、抽選体Ｂの外径を充分に下回る間隔をあけて第２部材５２の外周面に対向する。周壁部５３の内周面には、図５および図６に例示される通り、各第１抽選孔Ｈ1に対応する誘導路５４が形成される。誘導路５４は、第１抽選孔Ｈ1を通過した抽選体Ｂを第２抽選面Ｆ2に誘導する螺旋状の通路である。周壁部５３は、例えばアクリル樹脂等の光透過性の材料で形成される。したがって、遊技者は、第１部材５１と第２部材５２との間における抽選体Ｂの様子を、周壁部５３を介して視認できる。
【００４６】
周壁部５３が設置されない構成では、抽選空間Ｌ内で散乱する抽選体Ｂが、第１抽選孔Ｈ1を経由することなく第２抽選面Ｆ2上に直接的に到達する可能性がある。すなわち、第１検出機構１７１により検出されていない抽選体Ｂが第２抽選孔Ｈ2に進入する可能性がある。第１実施形態においては、第１部材５１と第２部材５２とにわたる周壁部５３が設置されるから、抽選体Ｂが第１抽選孔Ｈ1を経由せずに第２抽選面Ｆ2に直接的に到達することが周壁部５３により防止される。したがって、第２抽選孔Ｈ2に進入する抽選体Ｂが第１検出機構１７１により検出される確度を高めることが可能である。ただし、周壁部５３および誘導路５４を省略してもよい。
【００４７】
図９は、周壁部５３における第２抽選孔Ｈ2の近傍の部分を拡大した斜視図である。図６および図９に例示される通り、周壁部５３には複数の開口５３１が形成される。具体的には、軸線Ｃを挟んだ反対側に２個の開口５３１が形成される。第２抽選面Ｆ2上の抽選体Ｂは各開口５３１を通過可能である。第２抽選面Ｆ2から開口５３１を通過した抽選体Ｂは、載置部材１２の載置面Ｆaに落下する。
【００４８】
図１０は、搬送機構６０に着目した側面図である。搬送機構６０は、第２抽選孔Ｈ2に進入した抽選体Ｂを目標地点Ｑまで搬送する。第１実施形態の搬送機構６０は、搬送経路６１と減圧機構６２とを具備する。搬送経路６１は、第２抽選孔Ｈ2を通過した抽選体Ｂを目標地点Ｑまで搬送するための管路である。搬送経路６１は、抽選体Ｂの外径を僅かに上回る内径に構成された円管状の構造体である。搬送経路６１の上端に目標地点Ｑが位置する。目標地点Ｑは表示装置４１の背後に位置する。搬送経路６１は、例えばアクリル樹脂等の光透過性の材料で形成される。したがって、遊技者は、搬送経路６１内を抽選体Ｂが移動する様子を視認できる。
【００４９】
搬送経路６１は、軸線Ｃを中心軸として鉛直方向に直線状に延在する。図１０に例示される通り、搬送経路６１は、第２部材５２に形成された開口Ｏ2と第１部材５１に形成された開口Ｏ1とカバー部材１４の開口１４２とを貫通する。開口Ｏ1および開口Ｏ2は、軸線Ｃを中心とする円形状の貫通孔である。以上の構成によれば、第１部材５１および第２部材５２から離間した位置に搬送経路６１が設置された構成と比較して抽選装置１０が小型化されるという利点がある。搬送経路６１の上端部はカバー部材１４の開口１４２から上方に突出する。
【００５０】
なお、抽選体Ｂが進入する搬送経路６１の供給口は１箇所である。第２抽選孔Ｈ2に進入した抽選体Ｂは、第２部材５２の回転により当該第２抽選孔Ｈ2が搬送経路６１の供給口の直上に移動した段階で第２抽選孔Ｈ2から供給口に落下する。したがって、複数の第２抽選孔Ｈ2の各々に同時に抽選体Ｂが進入した場合でも、複数の抽選体Ｂが同時に搬送経路６１に供給されることはない。すなわち、複数の抽選体Ｂを適度な間隔をあけて搬送経路６１に供給できる。また、第２部材５２を回転させる構成によれば、複数の第２抽選孔Ｈ2の各々について搬送経路６１の供給口を個別に形成する必要がない。すなわち、複数の第２抽選孔Ｈ2について搬送経路６１の１個の供給口が共用される。
【００５１】
減圧機構６２は、搬送経路６１の上端部に設置される。減圧機構６２は、搬送経路６１内において抽選体Ｂを移動させる機構である。第１実施形態の減圧機構６２は、例えば搬送経路６１の内部の空気を吸引する吸引ポンプである。減圧機構６２により空気が吸引されることで搬送経路６１内の抽選体Ｂは目標地点Ｑに向けて鉛直方向の上方に移動する。搬送経路６１内を移動した抽選体Ｂはカバー部材１４の頂上に位置する目標地点Ｑに到達する。なお、搬送経路６１内の空気を加圧する加圧機構を、減圧機構６２に代えて搬送経路６１の下端部に設置してもよい。
【００５２】
目標地点Ｑには第２検出機構１７２が設置される。第２検出機構１７２は、目標地点Ｑに到達した抽選体Ｂを検出する機構である。第２検出機構１７２は、図７に例示した第１検出機構１７１と同様に、検出装置８１と回転機構８２とを具備する。すなわち、目標地点Ｑに到達した抽選体Ｂが回転機構８２により回転される保持状態において、抽選体Ｂの送信機Ｄから送信された識別情報が検出装置８１により受信される。回転機構８２が保持状態から開放状態に遷移すると、抽選体Ｂは搬送経路６１から図１０の蓄積経路６３に放出される。
【００５３】
蓄積経路６３は、搬送経路６１の上端部に連結された管路である。蓄積経路６３は、目標地点Ｑに到達した１個以上の抽選体Ｂを一時的に蓄積するための空間である。図１０に例示される通り、側壁部１１２には帰還口１１４が形成される。蓄積経路６３は、目標地点Ｑからカバー部材１４の外周面に沿って帰還口１１４まで円弧状に延在する。蓄積経路６３は、例えばアクリル樹脂等の光透過性の材料で形成される。したがって、遊技者は、蓄積経路６３内を抽選体Ｂが移動する様子を視認できる。
【００５４】
搬送経路６１から放出された抽選体Ｂは、蓄積経路６３内をカバー部材１４の外周面に沿って自重により移動することで当該蓄積経路６３の下端部に到達する。蓄積経路６３の下端部に到達した抽選体Ｂは、１回の抽選ゲームにおいて選択される所定個の抽選体Ｂが蓄積されるまで蓄積経路６３に保持される。すなわち、所定個の抽選体Ｂが物理抽選により選択されるまで抽選体Ｂは蓄積経路６３に保持される。所定個の抽選体Ｂが物理抽選により選択されることで１回の抽選ゲームが終了すると、蓄積経路６３に保持された所定個の抽選体Ｂが、側壁部１１２の帰還口１１４を介して抽選空間Ｌに帰還される。例えば、帰還口１１４を閉塞する閉状態と帰還口１１４を開放する開状態とに制御される開閉機構（図示略）が、蓄積経路６３の下端部に設置される。所定個の抽選体Ｂが物理抽選により選択されるまで開閉機構は閉状態に維持される。１回の抽選ゲームが終了すると、開閉機構が開状態に制御されることで、所定個の抽選体Ｂが帰還口１１４を介して抽選空間Ｌに帰還される。
【００５５】
以上の説明から理解される通り、第２検出機構１７２は、目標地点Ｑに到達した抽選体Ｂを検出する。他方、第１検出機構１７１は、誘導機構１６において目標地点Ｑまでの経路上の途中の地点（以下「検出地点」という）に到達した抽選体Ｂを検出する。第１実施形態における検出地点は、第１抽選孔Ｈ1の内側の地点（具体的には回転機構８２により保持される地点）である。
【００５６】
以上に説明した通り、第１実施形態の抽選装置１０によれば、噴射機構１３により付勢された複数の抽選体Ｂの何れかを目標地点Ｑまで誘導する興趣性の高い特徴的な物理抽選が実現される。第１実施形態においては、抽選機構５０に対してノズル１３１が移動するから、抽選機構５０に対するノズル１３１の位置が固定された構成と比較して、複数の抽選体Ｂを多様な軌道により移動させることが可能である。
【００５７】
図１１は、ゲーム装置１００の機能的な構成を例示するブロック図である。図１１に例示される通り、第１実施形態のゲーム装置１００は、抽選装置１０と複数の遊技ユニット２０と報知装置４０とに加えて、制御装置４３と記憶装置４４とを具備する。
【００５８】
制御装置４３は、例えば抽選装置１０の各要素を制御する単数または複数のプロセッサである。具体的には、例えばＣＰＵ（Central Processing Unit）、ＧＰＵ（Graphics Processing Unit）、ＤＳＰ（Digital Signal Processor）、ＦＰＧＡ（Field Programmable Gate Array）、またはＡＳＩＣ（Application Specific Integrated Circuit）等の１種類以上のプロセッサにより、制御装置４３が構成される。記憶装置４４は、制御装置４３が実行するプログラムと制御装置４３が使用する各種のデータとを記憶する単数または複数のメモリである。例えば半導体記録媒体および磁気記録媒体等の公知の記録媒体で構成される。なお、複数種の記録媒体の組合せにより記憶装置４４を構成してもよい。
【００５９】
図１２は、制御装置４３の機能を例示するブロック図である。制御装置４３は、記憶装置４４に記憶されたプログラムを実行することで、ゲーム装置１００の各要素を制御する制御部７０として機能する。第１実施形態の制御部７０は、要素特定部７１とゲーム制御部７２と報知制御部７３とを具備する。
【００６０】
要素特定部７１は、第１検出機構１７１または第２検出機構１７２が検出した抽選体Ｂに割当てられた抽選番号を特定する。すなわち、第１抽選孔Ｈ1に進入した抽選体Ｂの抽選番号と、第２抽選孔Ｈ2に進入した抽選体Ｂの抽選番号とが特定される。抽選番号の特定には、記憶装置４４に記憶された参照テーブルＲが利用される。参照テーブルＲは、各抽選体Ｂの送信機Ｄから送信される識別情報と当該抽選体Ｂに割当てられた抽選番号とを相互に対応させたデータテーブルである。要素特定部７１は、第１検出機構１７１が送信機Ｄから受信した識別情報を参照テーブルＲから検索し、当該識別情報に対応する抽選番号を特定する。
【００６１】
なお、抽選空間Ｌに抽選体Ｂが追加された場合または既存の抽選体Ｂが交換された場合には、参照テーブルＲが更新される。例えば、特定の抽選番号の抽選体Ｂ1が紛失または破損した場合、当該抽選番号が割当てられた新規な抽選体Ｂ2が抽選空間Ｌに導入される。しかし、新規な抽選体Ｂ2の識別情報は、従前の抽選体Ｂ1の識別情報とは一致しない場合がある。そこで、参照テーブルＲにおいて当該抽選番号に対応する識別情報が、新規な抽選体Ｂ2の識別情報に更新される。参照テーブルＲの更新は、例えば管理者からの指示に応じて制御装置４３が実行する。
【００６２】
ゲーム制御部７２は、遊技者がプレイするゲームの進行を制御する。第１実施形態のゲームは、抽選装置１０を利用した物理抽選の結果に応じて遊技者の当選／落選が判定される抽選ゲームである。具体的には、ゲーム制御部７２は、行列状に配列された複数の番号のうち物理抽選で順次に選択された抽選番号が１列に配列する場合に当選が成立する抽選ゲーム（ビンゴゲーム）を制御する。なお、遊技ユニット２０毎にゲーム制御部７２を設置してもよい。
【００６３】
ゲーム制御部７２は、図１３に例示される遊技カードＰを各遊技ユニット２０の表示装置２２に表示させる。遊技カードＰは、複数の候補番号が行列状に配列されたビンゴカードである。複数の候補番号の組合せおよび配列は遊技ユニット２０毎に相違する。ゲーム制御部７２は、第２検出機構１７２による抽選体Ｂの検出毎に、遊技カードＰの複数の候補番号のうち当該抽選体Ｂの抽選番号に一致する候補番号を有効状態に順次に変更する。そして、ゲーム制御部７２は、遊技カードＰにおける任意の１列（例えば縦１列，横１列または斜め１列）内の全部の候補番号が有効状態に変更された場合に当選（ビンゴ）が成立したと判定する。当選が成立した遊技者には所定量の遊技媒体が報酬として付与される。なお、遊技ユニット２０において各遊技者がプレイするゲームは、以上に例示した種類のゲーム（ビンゴゲーム）に限定されない。
【００６４】
図１２の報知制御部７３は、第１検出機構１７１または第２検出機構１７２が抽選体Ｂを検出したことを報知装置４０により遊技者に報知させる。具体的には、報知制御部７３は、第１検出機構１７１または第２検出機構１７２が抽選体Ｂを検出したことを表す画像（以下「報知画像」という）を表示装置４１に表示させる。また、報知制御部７３は、第１検出機構１７１または第２検出機構１７２が抽選体Ｂを検出したことを表す音声（以下「報知音声」という）を放音装置４２に放音させる。
【００６５】
第１実施形態の報知制御部７３は、要素特定部７１が特定した抽選番号を報知装置４０により遊技者に報知させる。具体的には、報知制御部７３は、要素特定部７１が特定した抽選番号を含む報知画像を表示装置４１に表示させる。また、報知制御部７３は、要素特定部７１が特定した抽選番号を含む音声を放音装置４２に放音させる。第１実施形態の報知制御部７３は、抽選体Ｂが目標地点Ｑに移動する過程において当該移動に並行して、抽選体Ｂの検出（具体的には抽選番号）を報知装置４０により遊技者に報知する。以上の構成によれば、抽選体Ｂの様子が実時間的に遊技者に報知されるから、臨場感のある物理抽選が実現される。
【００６６】
図１４および図１５は、報知画像Ｘおよび報知音声Ｖの説明図である。図１４は、第１検出機構１７１が抽選体Ｂを検出した場合に再生される報知画像Ｘおよび報知音声Ｖである。図１５は、第２検出機構１７２が抽選体Ｂを検出した場合に再生される報知画像Ｘおよび報知音声Ｖである。図１４および図１５に例示される通り、報知画像Ｘは、仮想キャラクタＸ1と実況メッセージＸ2とを含む。仮想キャラクタＸ1は、抽選装置１０を利用した物理抽選の状況を実況する仮想的な生物を表す仮想空間内にオブジェクトである。報知音声Ｖは、仮想キャラクタＸ1が物理抽選の状況を実況する音声である。したがって、仮想キャラクタＸ1が物理抽選の様子を実況しているような雰囲気が生成される。
【００６７】
図１４に例示される通り、第１検出機構１７１が抽選体Ｂを検出した場合に表示される実況メッセージＸ2は、当該抽選体Ｂの抽選番号を含む。例えば要素特定部７１が特定した抽選番号が「４」である場合、「４番 チャンスエリア突入！」等の実況メッセージＸ2が表示装置４１に表示される。また、「４番ボールがチャンスエリアに入りました！当選するのか？」等の報知音声Ｖが放音装置４２から放音される。すなわち、抽選体Ｂが第１抽選孔Ｈ1に進入したことが映像および音声により遊技者に報知される。
【００６８】
図１５に例示される通り、第２検出機構１７２が抽選体Ｂを検出した場合に表示される実況メッセージＸ2は、当該抽選体Ｂの抽選番号を含む。例えば要素特定部７１が特定した抽選番号が「４」である場合、「４番 当選！」等の実況メッセージＸ2が表示装置４１に表示される。また、「４番ボールが当選しました！」等の報知音声Ｖが放音装置４２から放音される。すなわち、抽選体Ｂが目標地点Ｑに到達したことが映像および音声により遊技者に報知される。
【００６９】
なお、報知音声Ｖの生成には音声合成技術が任意に採用される。例えば、報知制御部７３は、事前に用意された音声に抽選番号の音声を挿入することで報知音声Ｖを生成する。また、事前に用意された定型文に抽選番号を挿入した文字列について音声合成処理を実行することで報知制御部７３が報知音声Ｖを生成してもよい。
【００７０】
図１６は、制御部７０が実行する処理（以下「制御処理」という）の具体的な手順を例示するフローチャートである。例えば所定の時間毎に発生する割込を契機として制御処理が実行される。
【００７１】
要素特定部７１は、第１検出機構１７１が抽選体Ｂを検出したか否かを判定する（Ｓa1）。すなわち、第１抽選孔Ｈ1に抽選体Ｂが進入したか否かが判定される。第１検出機構１７１が抽選体Ｂを検出した場合（Ｓa1：YES）、要素特定部７１は、第１検出機構１７１が抽選体Ｂから受信した識別情報に対応する抽選番号を特定する（Ｓa2）。報知制御部７３は、要素特定部７１が特定した抽選番号を報知装置４０により遊技者に報知する（Ｓa3）。すなわち、図１４に例示した通り、抽選番号を含む報知画像Ｘが表示装置４１に表示され、抽選番号を含む報知音声Ｖが放音装置４２から放音される。第１検出機構１７１が抽選体Ｂを検出しない場合（Ｓa1：NO）、抽選番号の特定（Ｓa2）および報知（Ｓa3）は実行されない。
【００７２】
要素特定部７１は、第２検出機構１７２が抽選体Ｂを検出したか否かを判定する（Ｓa4）。すなわち、目標地点Ｑに抽選体Ｂが到達したか否かが判定される。第２検出機構１７２が抽選体Ｂを検出した場合（Ｓa4：YES）、要素特定部７１は、第２検出機構１７２が抽選体Ｂから受信した識別情報に対応する抽選番号を特定する（Ｓa5）。報知制御部７３は、要素特定部７１が特定した抽選番号を報知装置４０により遊技者に報知する（Ｓa6）。すなわち、図１５に例示した通り、抽選番号を含む報知画像Ｘが表示装置４１に表示され、抽選番号を含む報知音声Ｖが放音装置４２から放音される。第２検出機構１７２が抽選体Ｂを検出しない場合（Ｓa4：NO）、抽選番号の特定（Ｓa5）および報知（Ｓa6）は実行されない。ゲーム制御部７２は、目標地点Ｑに到達した抽選体Ｂの抽選番号に応じて各遊技者の抽選ゲームを進行させる（Ｓa7）。
【００７３】
前述の通り、目標地点Ｑに到達した抽選体Ｂは所定個が蓄積されるまで蓄積経路６３に保持される。したがって、物理抽選により抽選体Ｂが選択されるたびに、抽選空間Ｌ内に残存する抽選体Ｂの個数は減少する。ゲーム制御部７２は、抽選空間Ｌ内に残存する抽選体Ｂの個数が閾値を下回るか否かを判定する（Ｓa8）。抽選空間Ｌ内の抽選体Ｂの個数が閾値を下回る場合（Ｓa8：YES）、ゲーム制御部７２は、突起部５５を有効状態に制御する。すなわち、抽選体Ｂが第１抽選孔Ｈ1に進入する可能性が上昇する。抽選空間Ｌ内の抽選体Ｂの個数が閾値を上回る場合（Ｓa8：NO）、突起部５５は無効状態に維持される。
【００７４】
以上の説明から理解される通り、第１実施形態においては、抽選体Ｂが目標地点Ｑに到達したことだけでなく、目標地点Ｑまでの経路上の途中に位置する検出地点に抽選体Ｂが到達したことが遊技者に報知される。すなわち、抽選体Ｂが目標地点Ｑに到達するまでの途中経過が遊技者に対して実況される。したがって、目標地点Ｑの抽選体Ｂが到達したことのみが遊技者に報知される構成と比較して、物理抽選の過程において雰囲気を盛上げることが可能である。例えば、抽選体Ｂが目標地点Ｑに到達するまでの期待感を遊技者に付与できる。
【００７５】
また、第１実施形態においては、目標地点Ｑに向かう抽選体Ｂが第１抽選面Ｆ1および第２抽選面Ｆ2上において転動しながら滞留する。したがって、抽選体Ｂが目標地点Ｑに到達するまでの時間長を、簡便な構成により確保できる。抽選体Ｂが目標地点Ｑに到達するまでの時間長を充分に確保することで、所望の抽選体Ｂが目標地点Ｑに到達し得るという遊技者の期待感が増進される。
【００７６】
また、第１実施形態においては、第２抽選面Ｆ2から第２抽選孔Ｈ2に進入した抽選体Ｂは目標地点Ｑに誘導される一方、第２抽選面Ｆ2から開口５３１を通過した抽選体Ｂは載置面Ｆa上に落下する。すなわち、開口５３１を通過した抽選体Ｂは目標地点に到達しない。以上の構成によれば、周壁部５３に開口５３１が形成されない構成と比較して、抽選体が目標地点に到達する確率が低減される。したがって、複数の抽選体の何れかが目標地点に到達するまでの時間長を、簡便な構成により確保できる。
【００７７】
［第２実施形態］
本発明の第２実施形態を説明する。なお、以下に例示する各形態において機能が第１実施形態と同様である要素については、第１実施形態の説明で使用した符号を流用して各々の詳細な説明を適宜に省略する。
【００７８】
図１７は、第２実施形態における載置部材１２の構成を例示する平面図である。図１７に例示される通り、第２実施形態の抽選装置１０は案内部１２２を具備する。案内部１２２は、載置面Ｆa上に載置された複数の抽選体Ｂをノズル１３１に向けて案内する構造体である。具体的には、案内部１２２は、載置面Ｆaに設置され、当該載置面Ｆaから突出する突起である。例えば、案内部１２２は、ノズル１３１が露出する切欠１２１に向けて延在する突起である。以上の構成によれば、載置面Ｆa上において案内部１２２に接触した抽選体Ｂは、当該案内部１２２に沿って切欠１２１に誘導される。したがって、載置面Ｆa上の複数の抽選体Ｂをノズル１３１の近傍に集中させることが可能である。第２実施形態においても第１実施形態と同様の効果が実現される。
【００７９】
なお、以上の説明においては、案内部１２２が載置面Ｆaに設置された構成を例示したが、案内部１２２が設置される位置は載置面Ｆaに限定されない。例えば、載置面Ｆaから鉛直方向の上方に離間した位置に、図１７と同様の形状の案内部１２２が設置されてもよい。以上の態様に係る案内部１２２は、駆動機構１５に接続され、載置部材１２とともに回転する。
【００８０】
［第３実施形態］
図１８は、第３実施形態における抽選装置１０の側面図である。図１８に例示される通り、第３実施形態においては、カバー部材１４の案内面１４１から抽選空間Ｌに突出する複数の突起部１４３が設置される。図１８には複数の突起部１４３の平面図が併記されている。各突起部１４３は、案内面１４１と搬送経路６１の外周面とに対して略直交する板状部材である。各突起部１４３は、鉛直方向からの平面視において、搬送経路６１の外周面から径方向に放射状に延在する。複数の突起部１４３は、搬送経路６１の周囲に等間隔に設置される。また、各突起部１４３における下端面は、概略的に案内面１４１に連続する曲面（例えば円弧面）である。ただし、突起部１４３の形状または個数は図１８の例示に限定されない。
【００８１】
図１８から理解される通り、複数の突起部１４３は、抽選機構５０に対して鉛直方向の上方に位置する。ノズル１３１により上方に付勢された抽選体Ｂは、図１８に破線の矢印ａで図示される通り、案内面１４１に沿って軸線Ｃに接近し、突起部１４３に衝突することで抽選機構５０に向けて落下する。また、ノズル１３１により上方に付勢された抽選体Ｂは、図１８に破線の矢印ｂで図示される通り、案内面１４１と突起部１４３の下端面とに沿って円弧状の軌道で移動し、搬送経路６１に沿って抽選機構５０に落下する。
【００８２】
なお、突起部１４３を設置しない構成では、噴射機構１３から上昇した抽選体Ｂが案内面１４１に沿って抽選機構５０の上方を通過し（すなわち抽選機構５０を飛越え）、載置面Ｆaにおける噴射機構１３とは反対側に落下する可能性がある。以上の構成とは対照的に、第３実施形態によれば、多数の抽選体Ｂを効果的に抽選機構５０に向けて落下させることが可能である。また、第３実施形態によれば、抽選体Ｂを突起部１４３に衝突させることで抽選機構５０に対して落下させ易い。したがって、ノズル１３１による空気の噴射量または噴射方向を変化させた場合でも、多数の抽選体Ｂを抽選機構５０に向けて移動させることが可能である。以上の構成によれば、例えば、噴射機構１３による噴射を制御することで複数の抽選体Ｂの軌道を多様に変化させるといった演出効果を採用し易いという利点もある。
【００８３】
なお、図１８においては平板状の複数の突起部１４３を例示したが、突起部１４３の形状は以上の例示に限定されない。例えば、図１９に例示される通り、側面が曲面（例えば円弧面）に形成された円錐台状の突起部１４３を案内面１４１に設置してもよい。突起部１４３の側面は、周方向の全周にわたり、概略的に案内面１４１に連続する曲面である。以上の構成によれば、案内面１４１に沿って軸線Ｃに接近する抽選体Ｂは、突起部１４３に対して何れの方向から到来する場合でも、図１９における破線の矢印ｂで図示される通り、案内面１４１と突起部１４３の側面とに沿って円弧状の軌道で移動する。したがって、図１８の構成と同様に、多数の抽選体Ｂを効果的に抽選機構５０に向けて落下させることが可能である。
【００８４】
［第４実施形態］
図２０は、第４実施形態における載置部材１２のうちノズル１３１の近傍の構成図（正面図，上面図および側面図）である。図２０に例示される通り、第４実施形態における載置部材１２の載置面Ｆaには分散機構１８が設置される。分散機構１８は、ノズル１３１により鉛直方向の上方に付勢された抽選体Ｂの方向を変化させる機構である。
【００８５】
具体的には、分散機構１８は、基体部１８０と側面部１８１と側面部１８２と複数の支持部１８３とを具備する。基体部１８０は、側壁部１１２の内周面に間隔をあけて対向する平板状の部分である。側面部１８１および側面部１８２の各々は、基体部１８０の周縁から軸線Ｃ側に突出する壁状の部分である。側面部１８１と側面部１８２とは、周方向に相互に間隔をあけて対向する。複数の支持部１８３の各々は、基体部１８０と側面部１８１と側面部１８２とを載置部材１２に接続するための部材である。ノズル１３１により鉛直方向の上方に付勢された抽選体Ｂは、側面部１８１と側面部１８２との間の空間を通過して案内面１４１に向けて上昇する。
【００８６】
図２０に図示される通り、載置面Ｆaに対する分散機構１８の角度は変更可能である。図２０の駆動機構１８４は、例えばモータ等の電動機で構成され、分散機構１８を周方向に揺動させる。すなわち、載置部材１２の径方向に沿う中心軸を中心として載置面Ｆaに対する分散機構１８が変更される。
【００８７】
図２０には、分散機構１８について第１状態と第２状態とが図示されている。第１状態と第２状態とは、載置部材１２が鉛直方向に対して相互に反対側に傾斜した状態である。分散機構１８が第１状態にある場合、抽選体Ｂが側面部１８１に衝突することで当該抽選体Ｂの進行の方向が変化する。したがって、抽選体Ｂは方向ｄ1に放射される。他方、分散機構１８が第２状態にある場合、抽選体Ｂが側面部１８２に衝突することで当該抽選体Ｂの進行の方向が変化する。したがって、抽選体Ｂは方向ｄ2に放射される。以上の説明から理解される通り、分散機構１８は、ノズル１３１により鉛直方向の上方に付勢された抽選体Ｂを方向ｄ1および方向ｄ2を含む複数の方向に分散させる。
【００８８】
第４実施形態においても第１実施形態と同様の効果が実現される。また、第４実施形態においては、ノズル１３１により付勢された抽選体Ｂの方向が分散機構１８により変更される。したがって、抽選空間Ｌの全体にわたり複数の抽選体Ｂが分散されるという第１実施形態の効果は格別に顕著である。
【００８９】
［第５実施形態］
第１実施形態においては、複数の抽選体Ｂを上方に付勢するノズル１３１が移動する構成を例示した。第５実施形態においては、複数のノズル１３１を選択的に動作させることで、複数の抽選体Ｂが付勢される位置を抽選機構５０に対して変化させる。
【００９０】
図２１は、第５実施形態における載置部材１２および噴射機構１３の平面図および断面図である。図２１に例示される通り、第５実施形態における載置部材１２の載置面Ｆaは、内周縁から外周縁にかけて降下する傾斜面である。したがって、載置面Ｆaに載置された複数の抽選体Ｂは、載置面Ｆaの外周縁に向けて自重により転動する。第５実施形態においては載置部材１２は回転しない。載置部材１２の外周面は、側壁部１１２の内周面に所定の間隔をあけて対向する。
【００９１】
第５実施形態の噴射機構１３は、複数のノズル１３１を具備する。複数のノズル１３１は、載置部材１２の外周縁に沿って周方向に配列する。複数のノズル１３１の各々は、鉛直方向からの平面視において、載置部材１２の外周面と側壁部１１２の内周面との間隔内に露出する。各ノズル１３１は、給気機構１３２（図２１においては図示略）から供給される空気を噴射する管状の構造体である。載置面Ｆaの外周縁に接近した複数の抽選体Ｂは、ノズル１３１から噴射される空気により抽選空間Ｌ内に付勢される。以上の説明から理解される通り、複数のノズル１３１の集合は、載置面Ｆaに載置された複数の抽選体Ｂを上方に付勢する付勢部として機能する。また、複数のノズル１３１の各々は、載置面Ｆaに載置された複数の抽選体Ｂを上方に付勢する個別付勢部として機能する。
【００９２】
駆動機構１５は、複数のノズル１３１の各々を選択的に動作させることが可能である。具体的には、駆動機構１５は、複数のノズル１３１のうち１以上のノズル１３１に空気を噴射させ、残余のノズル１３１による空気の噴射を停止させる。すなわち、複数のノズル１３１のうち１以上のノズル１３１が選択的に動作状態に制御される。例えば、駆動機構１５は、複数のノズル１３１の各々を周方向に沿う配列の順番で順次に動作状態に制御する。以上の構成によれば、載置面Ｆa上の複数の抽選体Ｂが付勢される位置が、軸線Ｃを中心として周方向に回転する。ただし、ノズル１３１の選択の順番および個数は任意である。例えば、複数のノズル１３１から無作為に選択された１以上のノズル１３１を動作状態に制御してもよい。なお、空気を噴射するノズル１３１の組合せ（個数を含む）は変更可能である。以上の説明から理解される通り、第５実施形態の駆動機構１５は、複数のノズル１３１のうち動作させる１以上のノズル１３１を順次に変更することで、載置面Ｆa上の複数の抽選体Ｂが付勢される位置を変化させる。
【００９３】
第５実施形態においても第１実施形態と同様の効果が実現される。また、第５実施形態においては、複数のノズル１３１の各々を選択的に動作させることで複数の抽選体Ｂに対する付勢の位置が変化する。したがって、ノズル１３１を移動させる機構が不要であるという利点がある。また、第５実施形態においては、複数のノズル１３１のうち空気を噴射するノズル１３１の位置および個数を任意に制御できるから、抽選体Ｂの軌道を第１実施形態よりも多様化できるという利点もある。他方、ノズル１３１を移動させる第１実施形態の構成によれば、第５実施形態と比較してノズル１３１の個数を削減できるという利点がある。
【００９４】
ノズル１３１を移動させる第１実施形態の駆動機構１５と、複数のノズル１３１を選択的に動作させる第５実施形態の駆動機構１５とは、付勢部が複数の抽選体Ｂを付勢する位置を抽選機構５０に対して変化させる機構として包括的に表現される。すなわち、ノズル１３１を移動させる構成と、複数のノズル１３１を選択的に動作させる構成とは、複数の抽選体Ｂが付勢される位置を変化させる構成の具体例に相当する。
【００９５】
［第６実施形態］
第６実施形態のゲーム装置１００は、第１抽選イベントと第２抽選イベントとを実行する。第１抽選イベントは、第１実施形態と同様に、各遊技者がプレイする抽選ゲームを物理抽選の結果に応じて進行させるゲームイベントである。第２抽選イベントは、特定の条件を充足した遊技者が参加可能な特別なゲームイベントである。例えば抽選ゲームにおいて獲得したアイテムの個数が所定値に到達した遊技者が第２抽選イベントに参加可能である。第２抽選イベントは、複数の候補要素の何れかを選択する抽選（以下「特別抽選」という）ゲームイベントである。
【００９６】
図２２は、第６実施形態における支持機構３０および報知装置４０の構成を例示する側面図である。第６実施形態における支持機構３０には表示装置３１が設置される。具体的には、支持機構３０において平面視で遊技ユニット２０側に位置する各表面に表示装置３１が設置される。表示装置３１は、例えばＬＥＤ（Light Emitting Diode）等の発光素子を行列状に配列した面状の表示体である。各発光素子を選択的に発光させることで表示装置３１に画像が表示される。
【００９７】
表示装置３１は、第１領域３１１と第２領域３１２とを含む。第１領域３１１および第２領域３１２の各々は、円弧状の表示体である。第１領域３１１と第２領域３１２との間に報知装置４０の表示装置４１が設置される。表示装置３１と表示装置４１とが相互に協働して円弧状の画像（以下「補助画像」という）を表示する。補助画像は、複数の候補要素Ｅが円弧状に配列された画像である。第１領域３１１と表示装置４１と第２領域３１２とにわたり円弧状の補助画像が表示される。表示装置４１には、複数の候補要素Ｅのうちの１個の候補要素Ｅが表示される。表示装置４１に表示された１個の候補要素Ｅに先行する複数の候補要素Ｅが第１領域３１１に表示され、表示装置４１に表示された１個の候補要素Ｅに後続する複数の候補要素Ｅが第２領域３１２に表示される。なお、第１抽選イベントにおいては、第１実施形態と同様の報知画像Ｘが表示装置４１に表示される。
【００９８】
第２抽選イベントにおいて、ゲーム制御部７２は、複数の候補要素Ｅの配列を進行させる。すなわち、複数の候補要素Ｅの配列が支持機構３０に沿って円弧状に進行する。したがって、表示装置４１に表示される１個の候補要素Ｅは、候補要素Ｅにおける配列の順番で順次に切替わる。また、ゲーム制御部７２は、第２検出機構１７２が抽選体Ｂを検出した場合に複数の候補要素Ｅの進行を停止させる。進行が停止した時点において表示装置４１に表示されている１個の候補要素Ｅが、特別抽選の結果である。第１実施形態と同様に、目標地点Ｑは表示装置４１の背後に位置する。したがって、遊技者は、搬送経路６１の内部を移動してきた抽選体Ｂが、表示装置４１に表示された候補要素Ｅに衝突したように知覚する。特別抽選の結果に応じて遊技者に報酬が付与される。具体的には、特別抽選により選択された候補要素Ｅに応じた数量の遊技媒体が遊技者に報酬として付与される。
【００９９】
第６実施形態においても第１実施形態と同様の効果が実現される。また、第６実施形態においては、物理抽選の過程および結果を遊技者に報知するための表示装置４１が、複数の候補要素Ｅの何れかを選択する第２抽選イベントにも兼用される。したがって、興趣性が高い多様な抽選を実現できる。
【０１００】
［変形例］
以上に例示した各形態は多様に変形され得る。前述の各形態に適用され得る具体的な変形の態様を以下に例示する。以下の例示から任意に選択された２以上の態様を、相互に矛盾しない範囲で併合してもよい。
【０１０１】
（１）前述の各形態においては、物理抽選の過程および結果を表す報知画像Ｘを表示装置４１が表示したが、報知画像Ｘを表示する要素は表示装置４１に限定されない。例えば、各遊技ユニット２０の表示装置２２が報知画像Ｘを表示してもよい。第６実施形態の表示装置３１が報知画像Ｘを表示しても良い。
【０１０２】
また、例えば図２３に例示される通り、抽選装置１０に表示装置５１１を設置してもよい。図２３の表示装置５１１は、第１部材５１の外周面に設置される。表示装置５１１は、例えばＬＥＤ等の発光素子を行列状に配列した面状の表示体である。各発光素子を選択的に発光させることで表示装置５１１には各種の画像が表示される。報知制御部７３は、第１検出機構１７１または第２検出機構１７２による抽選体Ｂの検出を表示装置５１１に表示させる。例えば、図２３に例示される通り、第１検出機構１７１または第２検出機構１７２が検出した抽選体Ｂの抽選番号を表示装置５１１に表示させる。なお、表示装置５１１を第２部材５２に設置してもよい。以上の説明から理解される通り、抽選体Ｂの検出を表示する要素（表示装置４１，表示装置２２，表示装置３１，表示装置５１１）は、抽選体Ｂが検出されたことを遊技者に報知する報知装置の一例である。
【０１０３】
（２）前述の各形態においては、物理抽選の過程および結果を表す報知音声Ｖを放音装置４２が放音したが、報知音声Ｖを放音する要素は放音装置４２に限定されない。例えば、各遊技ユニット２０に設置された放音装置（例えばスピーカ）が報知音声Ｖを放音してもよい。
【０１０４】
（３）前述の各形態においては、報知画像Ｘの表示と報知音声Ｖの放音との双方により報知装置４０が抽選体Ｂの検出を遊技者に報知したが、報知画像Ｘの表示および報知音声Ｖの放音の一方のみにより報知装置４０が抽選体Ｂの検出を遊技者に報知してもよい。したがって、例えば報知装置４０において表示装置４１および放音装置４２の一方は省略されてもよい。
【０１０５】
（４）前述の各形態においては搬送経路６１における搬送経路６１の上端部を目標地点Ｑとしたが、目標地点Ｑの位置は以上の例示に限定されない。例えば、蓄積経路６３の下端部の近傍を目標地点Ｑとした構成も採用される。以上の構成においては、蓄積経路６３の下端部の近傍に第２検出機構１７２が設置される。
【０１０６】
（５）前述の各形態においては、第１検出機構１７１を第１抽選孔Ｈ1に設置したが、第１検出機構１７１が抽選体Ｂを検出する検出地点は以上の例示に限定されない。例えば、第２抽選孔Ｈ2に第１検出機構１７１を設置してもよい。誘導路５４に第１検出機構１７１を設置してもよい。誘導路５４のように抽選体Ｂが自重により転動する通路に第１検出機構１７１を設置した構成においては、抽選体Ｂを保持および回転させる回転機構８２を省略してもよい。また、蓄積経路６３の下端部に第２検出機構１７２が設置された構成においては、例えば搬送経路６１における搬送経路６１の上端部に第１検出機構１７１を設置してもよい。また、目標地点Ｑまでの経路上に複数の第１検出機構１７１を設置してもよい。以上の例示から理解される通り、誘導機構１６における目標地点Ｑまでの経路上の１個以上の地点に第１検出機構１７１を設置した構成が好適である。
【０１０７】
なお、目標地点Ｑに到達しない抽選体Ｂが通過する経路上に第１検出機構１７１を設置してもよい。例えば、周壁部５３における開口５３１に第１検出機構１７１が設置される。以上の構成によれば、第１抽選孔Ｈ1を通過した抽選体Ｂが目標地点Ｑへの経路から離脱したことを、報知画像Ｘまたは報知音声Ｖにより遊技者に報知することが可能である。目標地点Ｑまでの経路上に設置される第１検出機構１７１の個数が多いほど、抽選ゲームにおける詳細な途中経過を遊技者に報知できるという利点がある。
【０１０８】
（６）前述の各形態においては、載置面Ｆaの全体が軸線Ｃに対して傾斜する傾斜面である構成を例示したが、載置面Ｆaの一部のみを傾斜面としてもよい。すなわち、載置面Ｆaが水平面と傾斜面とを含む構成も想定される。また、載置面Ｆaの傾斜面は平面および曲面の何れでもよい。
【０１０９】
（７）前述の各形態においては、第１検出機構１７１および第２検出機構１７２が抽選体Ｂの送信機Ｄから受信した識別情報を利用して要素特定部７１が抽選番号を特定したが、要素特定部７１が抽選番号を特定するための構成は以上の例示に限定されない。例えば、抽選体Ｂを撮像する撮像装置を第１検出機構１７１が具備する構成においては、撮像装置が撮像した画像から要素特定部７１が抽選番号を特定してもよい。
【０１１０】
例えば、要素特定部７１は、抽選番号が印刷または貼付された抽選体Ｂを撮像した画像を解析することで当該抽選番号を特定する。また、例えば抽選番号を表すＱＲコード（登録商標）等の識別用の画像が抽選体Ｂの表面に印刷または貼付された構成においては、要素特定部７１は、当該画像から抽選番号を特定する。なお、例えば可視光により撮像可能なインクを利用して抽選体Ｂに抽選番号が印刷された構成では、各遊技者が目視により抽選体Ｂの抽選番号を視認することが可能である。他方、赤外光等の非可視光により撮像可能なインクを利用して抽選体Ｂに識別用の画像を印刷してもよい。以上の構成によれば、識別用の画像が遊技者により視認されないから、抽選体Ｂに関するデザインの自由度を確保できる。なお、識別情報の受信および抽選体Ｂの撮像等を含む２以上の方法により各抽選体Ｂの抽選番号を特定してもよい。
【０１１１】
なお、要素特定部７１が抽選体Ｂの抽選番号まで特定する必要はない。例えば、要素特定部７１は、第１検出機構１７１が具備する撮像装置が撮像した抽選空間Ｌ内の画像から、抽選機構５０に進入した抽選体Ｂの有無または個数を特定してもよい。撮像装置は、カバー部材１４の内部（抽選空間Ｌ）に設置されてもよいし、カバー部材１４の外部に設置されてもよい。以上の構成において、例えば「チャンスエリアにボールが入りました！」「２個のボールがチャンスエリアにあります！」等の報知画像Ｘまたは報知音声Ｖが再生される。以上の構成によれば、抽選体Ｂの識別番号まで特定する必要がないから、第１検出機構１７１の構成が簡素化されるという利点がある。
【０１１２】
（８）前述の各形態においては載置面Ｆaの外周縁にノズル１３１を設置したが、ノズル１３１の位置は以上の例示に限定されない。例えば、載置面Ｆaの内周縁にノズル１３１を設置してもよい。載置面Ｆaの内周縁にノズル１３１が設置された構成においては、載置面Ｆaは、外周縁から内周縁にかけて降下する傾斜面を含む。また、載置面Ｆaにおける内周縁と外周縁との中間の位置にノズル１３１を設置してもよい。ノズル１３１の位置に関わらず、当該ノズル１３１に近い位置ほど低い傾斜面を載置面Ｆaが含む構成が好適である。
【０１１３】
（９）前述の各形態においては載置部材１２および噴射機構１３の双方を回転させたが、載置部材１２および噴射機構１３の一方または双方を固定してもよい。例えば、図２４に例示される通り、載置部材１２が固定された構成のもとで、抽選機構５０に対して噴射機構１３を移動させてもよい。図２４の構成において、載置部材１２の載置面Ｆaは、内周縁から外周縁に掛けて降下する傾斜面である。載置部材１２は抽選機構５０に対して回転しない。したがって、載置面Ｆaに載置された複数の抽選体Ｂは、載置面Ｆaの外周縁に向けて自重により転動する。噴射機構１３のノズル１３１は、載置面Ｆaの外周縁と側壁部１１２の内周面との間隙内に位置し、軸線Ｃを中心として当該外周縁に沿って回転する。したがって、載置面Ｆaの外周縁に到達した複数の抽選体Ｂは、当該抽選体Ｂに接近するノズル１３１からの空気により抽選空間Ｌ内に付勢される。なお、噴射機構１３を固定した構成のもとで載置部材１２を回転させてもよい。
【０１１４】
（１０）第１実施形態から第４実施形態においては、載置面Ｆaおよびノズル１３１が軸線Ｃを中心として回転する構成を例示したが、載置面Ｆaおよびノズル１３１の移動の態様は以上の例示に限定されない。例えば、多角形状の載置面Ｆaを含む載置部材１２の回転とともに、噴射機構１３のノズル１３１が載置面Ｆaの周縁に沿って多角形状の軌道により移動してもよい。また、矩形状の載置面Ｆaにおける第１縁辺が反対側の第２縁辺よりも低位となるように傾斜した載置部材１２を想定すると、ノズル１３１が第１縁辺に沿って直線的に往復する構成も想定される。以上の説明から理解される通り、載置面Ｆaの傾斜面における降下の方向がノズル１３１を向く構成によれば、複数の抽選体Ｂをノズル１３１に効率的に集中させることが可能である。
【０１１５】
（１１）前述の各形態においては載置部材１２の設置面Ｆbに噴射機構１３が設置されたが、載置部材１２と噴射機構１３との位置的な関係は以上の例示に限定されない。例えば、図２５に例示される通り、ノズル１３１の一部または全部が載置面Ｆaから突出してもよい。また、図２６に例示される通り、噴射機構１３の一部または全部が載置面Ｆaから鉛直方向の上方に突出してもよい。図２６には、ノズル１３１の全部と給気機構１３２の一部とが載置面Ｆaから突出した構成が例示されている。噴射機構１３の全部が載置面Ｆaの面上に位置する構成も想定される。
【０１１６】
（１２）前述の各形態においては、ノズル１３１による空気の噴射により複数の抽選体Ｂを抽選空間Ｌ内に付勢したが、複数の抽選体Ｂを付勢するための構成は以上の例示に限定されない。例えば、複数の抽選体Ｂを打撃する打撃体により各抽選体Ｂを抽選空間Ｌ内に付勢してもよい。また、例えば載置部材１２を振動させることで載置面Ｆa上の複数の抽選体Ｂを付勢してもよい。また、抽選空間Ｌを形成する光透過性の容器に複数の抽選体Ｂを収容し、当該容器を振動または回転させることで複数の抽選体Ｂを付勢することも可能である。以上の例示から理解される通り、前述の各形態におけるノズル１３１、抽選体Ｂを打撃する打撃体、振動により抽選体Ｂを付勢する載置部材１２、および複数の抽選体Ｂを収容した状態で振動または回転する容器は、複数の抽選体Ｂを付勢する付勢部の例示である。
【０１１７】
（１３）前述の各形態においては１個のノズル１３１が設置された構成を例示したが、抽選空間Ｌ内に複数のノズル１３１を設置してもよい。例えば載置面Ｆaの外周縁に沿って複数のノズル１３１が所定の間隔で設置される。
【０１１８】
（１４）前述の各形態においては、各抽選体Ｂに抽選番号が割当てられた構成を例示したが、各抽選体Ｂに割当てられる抽選要素は抽選番号に限定されない。例えば、複数の色彩の何れかが抽選要素として各抽選体Ｂに割当てられた構成、または、複数の記号の何れかが抽選要素として各抽選体Ｂに割当てられた構成も想定される。以上の例示から理解される通り、抽選要素は、抽選による選択の対象となる要素として包括的に表現される。
【０１１９】
［付記］
以上の記載から、例えば以下のように本発明の好適な態様が把握される。なお、各態様の理解を容易にするために、以下では、図面の符号を便宜的に括弧書で併記するが、本発明を図示の態様に限定する趣旨ではない。
【０１２０】
［付記Ａ］
特許文献１の技術においては、遊技者は、１個の抽選体が複数の抽選孔の何れかに進入するまで待機するだけであり、物理抽選の過程が単調であるという課題がある。以上の事情を考慮して、本発明の具体的な態様（付記Ａ１から付記Ａ１４）は、興趣性が高い特徴的な物理抽選を実現することを目的とする。
【０１２１】
［付記Ａ１］
本発明のひとつの態様（付記Ａ１）に係る抽選装置（１０）は、複数の抽選体（Ｂ）を上方に付勢する付勢部（１３１）と、前記付勢部（１３１）により付勢された前記複数の抽選体（Ｂ）のうちの何れかを目標地点（Ｑ）まで誘導する誘導機構（１６）と、前記誘導機構（１６）において前記目標地点（Ｑ）までの経路上の地点に到達した前記抽選体（Ｂ）を検出する第１検出機構（１７１）と、前記第１検出機構（１７１）が前記抽選体（Ｂ）を検出したことを遊技者に報知する報知装置（４０）とを具備する。
【０１２２】
以上の態様においては、付勢部（１３１）により付勢された複数の抽選体（Ｂ）の何れかを目標地点（Ｑ）まで誘導する、興趣性の高い特徴的な物理抽選が実現される。しかも、誘導機構（１６）において目標地点（Ｑ）までの途中の地点に抽選体（Ｂ）が到達したことが遊技者に報知される。すなわち、複数の抽選体（Ｂ）の何れかが目標地点（Ｑ）に到達するまでの途中経過が遊技者に報知される。したがって、抽選体（Ｂ）が目標地点（Ｑ）に到達するまでの期待感を遊技者に付与できる。
【０１２３】
付勢部（１３１）は、複数の抽選体（Ｂ）を上方に付勢する任意の要素である。「付勢」とは、抽選体（Ｂ）に力を作用させることで当該抽選体（Ｂ）を移動させることを意味する。「上方」とは、水平方向に対して上方に交差する方向を意味する。したがって、「上方」は、水平方向に直交する方向（すなわち、鉛直方向の上方）のほか、水平方向および鉛直方向に対して傾斜する方向も包含する。
【０１２４】
抽選体（Ｂ）は、抽選装置（１０）による抽選に利用される立体物である。抽選体（Ｂ）の典型例は、転動可能な立体（例えば球体または多面体）であるが、例えば円盤等の板状部材を抽選体（Ｂ）として利用してもよい。
【０１２５】
目標地点（Ｑ）は、誘導機構（１６）による誘導の目標となる地点である。目標地点（Ｑ）に到達した抽選体（Ｂ）が、抽選装置（１０）による抽選により選択された抽選体（Ｂ）として確定する。他方、第１検出機構（１７１）により抽選体（Ｂ）が検出される地点は、誘導機構（１６）において目標地点（Ｑ）の手前側に位置する任意の地点である。
【０１２６】
報知装置（４０）は、遊技者に情報を報知可能な任意の出力機器である。例えば、抽選体（Ｂ）が検出されたことを表す画像を表示する表示装置（４１）、または、抽選体（Ｂ）が検出されたことを表す音声を放音する放音装置（４２）が、報知装置（４０）の具体例である。
【０１２７】
［付記Ａ２］
付記Ａ１の具体例（付記Ａ２）において、前記誘導機構（１６）は、前記抽選体（Ｂ）が載置される第１抽選面（Ｆ1）を含む第１部材（５１）を含み、前記第１抽選面（Ｆ1）には、前記抽選体（Ｂ）が進入する第１抽選孔（Ｈ1）が形成され、前記抽選体（Ｂ）は、前記第１抽選孔（Ｈ1）を経由して前記目標地点（Ｑ）に誘導され、前記第１検出機構（１７１）は、前記第１抽選孔（Ｈ1）に進入した前記抽選体（Ｂ）を検出する。以上の態様においては、誘導機構（１６）により誘導される抽選体（Ｂ）が、第１部材（５１）の第１抽選面（Ｆ1）に滞留するから、抽選体（Ｂ）が目標地点（Ｑ）に到達するまでの時間長を、簡便な構成により確保できる。抽選体（Ｂ）が目標地点（Ｑ）に到達するまでの時間長を充分に確保することで、抽選体（Ｂ）が目標地点（Ｑ）に到達するという遊技者の期待感を増進することが可能である。
【０１２８】
［付記Ａ３］
付記Ａ２の具体例（付記Ａ３）において、前記誘導機構（１６）は、鉛直方向における前記第１部材（５１）の下方に位置する第２部材（５２）を含み、前記第２部材（５２）は、前記抽選体（Ｂ）が載置される第２抽選面（Ｆ2）を含み、前記第２抽選面（Ｆ2）には、前記抽選体（Ｂ）が進入する第２抽選孔（Ｈ2）が形成され、前記抽選体（Ｂ）は、前記第２抽選孔（Ｈ2）を経由して前記目標地点（Ｑ）に誘導される。以上の態様においては、誘導機構（１６）により誘導される抽選体（Ｂ）が、第２部材（５２）の第２抽選面（Ｆ2）に滞留するから、抽選体（Ｂ）が目標地点（Ｑ）に到達するまでの時間長を、簡便な構成により確保できる。抽選体（Ｂ）が目標地点（Ｑ）に到達するまでの時間長を充分に確保することで、抽選体（Ｂ）が目標地点（Ｑ）に到達するという遊技者の期待感を増進することが可能である。
【０１２９】
［付記Ａ４］
付記Ａ３の具体例（付記Ａ４）において、前記誘導機構（１６）は、前記第１部材（５１）と前記第２部材（５２）との間の空間を包囲する周壁部（５３）を含む。以上の態様においては、第１部材（５１）と第２部材（５２）との間の空間を包囲する周壁部（５３）が設置されるから、第１部材（５１）における第１抽選孔（Ｈ1）以外の経路で抽選体（Ｂ）が第２部材（５２）に到達する可能性が低減される。したがって、目標地点（Ｑ）に到達する抽選体（Ｂ）が第１検出機構（１７１）により検出される確度を高めることが可能である。なお、周壁部（５３）は、第２部材（５２）の全周にわたり設置されてもよいし、第２部材（５２）の一部の周縁に設置されてもよい。
【０１３０】
［付記Ａ５］
付記Ａ４の具体例（付記Ａ５）において、前記周壁部（５３）には開口（５３１）が形成され、前記第２抽選面（Ｆ2）から前記開口（５３１）を通過した前記抽選体（Ｂ）は、前記複数の抽選体（Ｂ）が付勢される抽選空間（Ｌ）に移動する。以上の態様においては、第２抽選面（Ｆ2）から第２抽選孔（Ｈ2）に進入した抽選体（Ｂ）は目標地点（Ｑ）に誘導される。他方、第２抽選面（Ｆ2）から開口（５３１）を通過した抽選体（Ｂ）は抽選空間（Ｌ）に移動する。すなわち、開口（５３１）を通過した抽選体（Ｂ）は目標地点（Ｑ）に到達しない。以上の構成によれば、周壁部（５３）に開口（５３１）が形成されない構成と比較して、抽選体（Ｂ）が目標地点（Ｑ）に到達する確率が低減される。したがって、複数の抽選体（Ｂ）の何れかが目標地点（Ｑ）に到達するまでの時間長を、簡便な構成により確保できる。
【０１３１】
［付記Ａ６］
付記Ａ３から付記Ａ５の何れかの具体例（付記Ａ６）において、前記誘導機構（１６）は、前記第２抽選孔（Ｈ2）に進入した前記抽選体（Ｂ）を前記目標地点（Ｑ）まで搬送する搬送経路（６１）を含む。以上の態様においては、第２抽選孔（Ｈ2）に進入した抽選体（Ｂ）を確実に目標地点（Ｑ）まで搬送できる。
【０１３２】
搬送経路（６１）は、例えば抽選体（Ｂ）が通過する管路である。例えば抽選体（Ｂ）に気体を噴射することで当該抽選体（Ｂ）は搬送経路（６１）の内部を移動する。ただし、搬送経路（６１）は管路に限定されない。例えば溝状の搬送経路（６１）により抽選体（Ｂ）を搬送してもよい。
【０１３３】
［付記Ａ７］
付記Ａ６の具体例（付記Ａ７）において、前記搬送経路（６１）は、前記第１部材（５１）および前記第２部材（５２）を貫通し、前記抽選体（Ｂ）を鉛直方向の上方に搬送する。以上の構成においては、抽選体（Ｂ）を鉛直方向の上方に搬送する搬送経路（６１）が第１部材（５１）および第２部材（５２）を貫通するから、第１部材（５１）および第２部材（５２）から離間した位置に搬送経路（６１）が設置される構成と比較して抽選装置（１０）が小型化される。
【０１３４】
［付記Ａ８］
付記Ａ２から付記Ａ７の何れかの具体例（付記Ａ８）において、前記誘導機構（１６）は、前記第１抽選面（Ｆ1）における前記第１抽選孔（Ｈ1）の外側の周縁に沿って前記第１抽選面（Ｆ1）から突出する突起部（５５）を含む。以上の構成においては、第１抽選孔（Ｈ1）の近傍に到達した抽選体（Ｂ）が当該第１抽選孔（Ｈ1）の外側の周縁から落下することが突起部（５５）により制限される。したがって、抽選体（Ｂ）が第１抽選孔（Ｈ1）に進入する頻度を高めることが可能である。なお、第１抽選孔（Ｈ1）の外側とは、第１抽選孔（Ｈ1）を挟んで第１抽選面（Ｆ1）の中心とは反対側を意味する。
【０１３５】
［付記Ａ９］
付記Ａ８の具体例（付記Ａ９）において、前記突起部（５５）は、前記第１抽選面（Ｆ1）に交差する方向に移動可能である。以上の態様においては、突起部（５５）が移動可能であるから、抽選体（Ｂ）が第１抽選孔（Ｈ1）に進入する頻度を突起部（５５）の位置に応じて調整することが可能である。
【０１３６】
［付記Ａ１０］
付記Ａ１から付記Ａ９の何れかの具体例（付記Ａ１０）において、前記報知装置（４０）は、前記抽選体（Ｂ）が前記目標地点（Ｑ）に移動する過程において、当該移動に並行して、前記抽選体（Ｂ）の検出を報知する。以上の態様においては、抽選体（Ｂ）の様子が実時間的に遊技者に報知されるから、臨場感のある抽選が実現される。
【０１３７】
［付記Ａ１１］
付記Ａ１から付記Ａ１０の何れかの具体例（付記Ａ１１）において、前記複数の抽選体（Ｂ）の各々には、複数の抽選要素の何れかが割当てられ、前記第１検出機構（１７１）が検出した前記抽選体（Ｂ）に割当てられた抽選要素を特定する要素特定部（７１）を具備し、前記報知装置（４０）は、前記要素特定部（７１）が特定した抽選要素を前記遊技者に報知する。以上の態様においては、第１検出機構（１７１）が検出した抽選体（Ｂ）の抽選要素が遊技者に報知されるから、例えば目標地点（Ｑ）に到達した抽選体（Ｂ）の抽選要素に応じて当選／落選が決定されるゲームにおいて、当選に対する期待感を遊技者に付与できる。
【０１３８】
抽選要素は、抽選装置（１０）による抽選で選択される要素である。抽選要素の典型例は番号であるが、例えば抽選体（Ｂ）の色彩または抽選体（Ｂ）に割当てられた記号等の各種の要素も、抽選要素の概念に包含される。
【０１３９】
［付記Ａ１２］
付記Ａ１から付記Ａ１１の何れかの具体例（付記Ａ１２）において、前記第１検出機構（１７１）は、前記抽選体（Ｂ）に設置された送信機（Ｄ）から当該抽選体（Ｂ）の識別情報を受信する検出装置（８１）と、前記抽選体（Ｂ）を回転させる回転機構（８２）とを含む。以上の態様においては、回転機構（８２）が抽選体（Ｂ）を回転させる。したがって、抽選体（Ｂ）に設置された送信機（Ｄ）が特定の方向に識別情報を送信する構成において、抽選体（Ｂ）が初期的に何れの方向にあっても、検出装置（８１）が抽選体（Ｂ）の送信機（Ｄ）から識別情報を適切に受信できる。
【０１４０】
［付記Ａ１３］
付記Ａ１から付記Ａ１２の何れかの具体例（付記Ａ１３）において、前記付勢部（１３１）は、前記複数の抽選体（Ｂ）に対して気体を噴射するノズル（１３１）を含み、前記誘導機構（１６）に対して前記ノズル（１３１）を移動させる駆動機構（１５）を具備する。以上の態様においては、複数の抽選体（Ｂ）を付勢するノズル（１３１）が誘導機構（１６）に対して移動する。したがって、付勢部（１３１）が誘導機構（１６）に対して固定された構成と比較して、複数の抽選体（Ｂ）を多様な軌道により移動させることが可能である。なお、ノズル（１３１）の軌道は任意である。例えばノズル（１３１）が円弧状に移動する構成が想定される。
【０１４１】
［付記Ａ１４］
付記Ａ１から付記Ａ１３の何れかの具体例（付記Ａ１４）において、前記目標地点（Ｑ）に到達した前記抽選体（Ｂ）を検出する第２検出機構（１７２）を具備し、前記報知装置（４０）は、前記第２検出機構（１７２）が前記抽選体（Ｂ）を検出したことを前記遊技者に報知する。以上の態様によれば、複数の抽選体（Ｂ）の何れかが目標地点（Ｑ）に到達するまでの途中経過と、抽選体（Ｂ）が目標地点（Ｑ）に到達した結果との双方を、遊技者に報知することが可能である。
【０１４２】
［付記Ｂ］
特許文献１の技術においては、複数の抽選体の各々の軌道が単調であるという課題がある。以上の事情を考慮して、本発明の具体的な態様（付記Ｂ１から付記Ｂ８）は、物理抽選に利用される複数の抽選体を多様な軌道により移動させることを目的とする。
【０１４３】
［付記Ｂ１］
本発明のひとつの態様（付記Ｂ１）に係る抽選装置（１０）は、複数の抽選体（Ｂ）が載置される載置面（Ｆa）と、前記載置面（Ｆa）に載置された前記複数の抽選体（Ｂ）を上方に付勢する付勢部（１３１）と、前記付勢部（１３１）により付勢された前記複数の抽選体（Ｂ）の何れかを選択する物理抽選を実行する抽選機構（５０）と、前記抽選機構（５０）に対して前記付勢部（１３１）を移動させる駆動機構（１５）とを具備する。
【０１４４】
以上の態様においては、複数の抽選体（Ｂ）を上方に付勢する付勢部（１３１）が抽選機構（５０）に対して移動される。したがって、付勢部（１３１）が抽選機構（５０）に対して固定された構成と比較して、複数の抽選体（Ｂ）を多様な軌道により移動させることが可能である。
【０１４５】
抽選体（Ｂ）は、抽選装置（１０）による抽選に利用される立体物である。抽選体（Ｂ）の典型例は、転動可能な立体（例えば球体または多面体）であるが、例えば円盤等の板状部材を抽選体（Ｂ）として利用してもよい。
【０１４６】
付勢部（１３１）は、複数の抽選体（Ｂ）を上方に付勢する任意の要素である。「付勢」とは、抽選体（Ｂ）に力を作用させることで当該抽選体（Ｂ）を移動させることを意味する。「上方」とは、水平方向に対して上方に交差する方向を意味する。したがって、「上方」は、水平方向に直交する方向（すなわち、鉛直方向の上方）のほか、水平方向および鉛直方向に対して傾斜する方向も包含する。
【０１４７】
［付記Ｂ２］
付記１の具体例（付記Ｂ２）において、前記駆動機構（１５）は、前記抽選機構（５０）に対して前記付勢部（１３１）を移動させることで、当該付勢部（１３１）が前記複数の抽選体（Ｂ）を付勢する位置を変化させる。以上の構成によれば、付勢部（１３１）の構成が簡素化されるという利点がある。
【０１４８】
［付記Ｂ３］
付記１または付記２の具体例（付記Ｂ３）において、前記載置面（Ｆa）は、前記付勢部（１３１）に向けて降下する傾斜面を含む。以上の態様においては、複数の抽選体（Ｂ）が自重により傾斜面を転動することで付勢部（１３１）に接近する。したがって、複数の抽選体（Ｂ）を付勢部（１３１）に搬送する機構を必要とせずに、載置面（Ｆa）上の複数の抽選体（Ｂ）を付勢部（１３１）に集中させることが可能である。ただし、複数の抽選体（Ｂ）を付勢部（１３１）に搬送する機構を、載置面（Ｆa）の傾斜面に加えて設置した構成も採用される。
【０１４９】
傾斜面上の第１地点と第２地点とを想定する。第２地点は第１地点よりも付勢部（１３１）に近い。傾斜面について「付勢部（１３１）に向けて降下する」とは、鉛直方向における第２地点の高さが、第１地点よりも低いことを意味する。傾斜面の全域にわたり付勢部（１３１）に向けて当該傾斜面が連続的に降下する必要はない。例えば鉛直方向の高さが不連続に変化する段差を傾斜面が含んでもよい。また、傾斜面は、平面または曲面である。複数の平面または曲面を組合わせて傾斜面を構成してもよい。また、載置面（Ｆa）の全域が傾斜面である必要はなく、載置面（Ｆa）の一部が傾斜面であってもよい。
【０１５０】
［付記Ｂ４］
付記Ｂ３の具体例（付記Ｂ４）において、前記載置面（Ｆa）は、前記付勢部（１３１）の移動とともに前記傾斜面の降下の方向が前記付勢部（１３１）を向くように移動する。例えば、前記付勢部（１３１）が、鉛直方向からみて前記抽選機構（５０）の周囲を回転する構成においては、前記載置面（Ｆa）は、鉛直方向に沿う軸線（Ｃ）を中心として回転する。以上の態様においては、付勢部（１３１）の移動とともに載置面（Ｆa）の傾斜面が移動するから、載置面（Ｆa）上の複数の抽選体（Ｂ）を効率的に付勢部（１３１）に集中させることが可能である。
【０１５１】
［付記Ｂ５］
付記Ｂ４の具体例（付記Ｂ５）に係る抽選装置（１０）は、前記載置面（Ｆa）を含む載置部材（１２）を具備し、前記付勢部（１３１）は、前記載置部材（１２）に固定される。以上の態様においては、付勢部（１３１）が載置部材（１２）の設置面（Ｆb）に固定されるから、付勢部（１３１）および載置部材（１２）の一方を移動させる構成により付勢部（１３１）および載置部材（１２）の双方を一体的に移動させることが可能である。
【０１５２】
［付記Ｂ６］
付記Ｂ１から付記Ｂ５の何れかの具体例（付記Ｂ６）において、前記付勢部（１３１）は、鉛直方向からみて前記抽選機構（５０）の周囲を回転する。以上の態様においては、抽選機構（５０）に対して多様な方向から複数の抽選体（Ｂ）を供給することが可能である。
【０１５３】
「付勢部（１３１）が抽選機構（５０）の周囲を回転する」とは、付勢部（１３１）の軌道の少なくとも一部が円弧状であることを意味する。軌道について「円弧状」とは、軌道が厳密な円形である場合のほか、例えば軌道が楕円状である場合も包含する。また、付勢部（１３１）の一部の軌道が直線状であっても、他の部分が円弧状であれば「回転する」の概念に包含される。また、「付勢部（１３１）が回転する」構成は、抽選機構（５０）の全周（３６０°）にわたり付勢部（１３１）が移動する構成に限定されず、３６０°未満の範囲内で円弧状に移動する構成も包含する。
【０１５４】
［付記Ｂ７］
付記Ｂ１の具体例（付記Ｂ７）において、前記付勢部（１３１）は、前記載置面（Ｆa）に載置された前記複数の抽選体（Ｂ）を上方に付勢する複数の個別付勢部（１３１）を含み、前記駆動機構（１５）は、前記複数の個別付勢部（１３１）のうち動作させる１以上の個別付勢部（１３１）を変更することで、当該付勢部（１３１）が前記複数の抽選体（Ｂ）を付勢する位置を変化させる。以上の構成によれば、付勢部（１３１）を移動させる機構が不要であるという利点がある。
【０１５５】
［付記Ｂ８］
付記Ｂ１から付記Ｂ７の具体例（付記Ｂ８）において、前記付勢部（１３１）は、前記複数の抽選体（Ｂ）に対して気体を噴射するノズル（１３１）を含む。以上の態様においては、ノズル（１３１）から気体を噴射することで多数の抽選体（Ｂ）を効果的に散乱させることが可能である。
【０１５６】
前述の付記Ｂ２の構成において、ノズル（１３１）に気体を供給する給気機構が抽選機構（５０）に対して移動するか否かは不問である。すなわち、給気機構（１３２）がノズル（１３１）とともに移動する構成のほか、給気機構（１３２）が固定された状態でノズル（１３１）が移動する構成も想定される。
【０１５７】
［付記Ｂ９］
付記Ｂ１から付記Ｂ８の何れかの具体例（付記Ｂ９）に係る抽選装置（１０）は、前記複数の抽選体（Ｂ）を前記付勢部（１３１）に向けて案内する案内部（１２２）を具備する。以上の態様においては、複数の抽選体（Ｂ）を付勢部（１３１）の近傍に集中させることが可能である。
【０１５８】
案内部（１２２）は、複数の抽選体（Ｂ）を付勢部（１３１）に向けて案内する任意の要素である。例えば、載置面（Ｆa）から突出する突起が案内部（１２２）の典型例であるが、無端ベルト等の搬送体により複数の抽選体（Ｂ）を搬送する搬送機構も案内部（１２２）の概念に包含される。
【０１５９】
［付記Ｂ１０］
付記Ｂ９の具体例（付記Ｂ１０）において、前記案内部（１２２）は、前記載置面に設置された突起である。以上の構成によれば、載置面（Ｆa）に突起を設置する簡便な構成により複数の抽選体（Ｂ）を付勢部（１３１）に向けて案内できる。
【０１６０】
［付記Ｂ１１］
付記Ｂ１から付記Ｂ１０の何れかの具体例（付記Ｂ１１）に係る抽選装置（１０）は、前記載置面（Ｆa）および前記抽選機構（５０）の上方に位置する案内面（１４１）を具備し、前記付勢部（１３１）は、前記案内面（１４１）に向けて前記複数の抽選体（Ｂ）を付勢する。以上の態様においては、付勢部（１３１）による付勢で複数の抽選体（Ｂ）が上方に飛上がり、案内面（１４１）に沿って移動したうえで抽選機構（５０）に向けて落下する。したがって、多数の抽選体（Ｂ）を効果的に抽選機構（５０）に向けて移動させることが可能である。
【０１６１】
［付記Ｂ１２］
付記Ｂ１１の具体例（付記Ｂ１２）に係る抽選装置（１０）は、前記抽選機構（５９）の上方において前記案内面（１４１）から突出する突起部（１４３）を具備する。以上の態様によれば、付勢部（１３１）により付勢された抽選体（Ｂ）が、突起部（１４３）に衝突し、または突起部（１４３）に沿って移動することで、抽選機構（５０）に向けて落下させることが可能である。
【０１６２】
［付記Ｂ１３］
付記Ｂ１から付記Ｂ１２の何れかの具体例（付記Ｂ１３）に係る抽選装置（１０）は、前記付勢部（１３１）により付勢された前記複数の抽選体（Ｂ）を複数の方向に分散させる分散機構（１８）を具備する。以上の構成によれば、付勢部（１３１）が複数の抽選体（Ｂ）をひとつの方向に付勢する構成であっても、複数の抽選体（Ｂ）を複数の方向に分散させることが可能である。
【符号の説明】
【０１６３】
１００…ゲーム装置、１０…抽選装置、１１…基礎構造体、１１１…底面部、１１２…側壁部、１１３…支持部、１２…載置部材、１２１…切欠、１２２…案内部、１３…噴射機構、１３１…ノズル、１３２…給気機構、１４…カバー部材、１４１…案内面、１４２…開口、１４３…突起部、１５…駆動機構、１６…誘導機構、１７１…第１検出機構、１７２…第２検出機構、１８…分散機構、１８０…基体部、１８１，１８２…側面部、１８３…支持部、１８４…駆動機構、２０…遊技ユニット、２１…受付装置、２２…表示装置、２３…操作装置、３０…支持機構、３１…表示装置、３１１…第１領域、３１２…第２領域、４０…報知装置、４１…表示装置、４２…放音装置、４３…制御装置、４４…記憶装置、５０…抽選機構、５１…第１部材、５１１…表示装置、５２…第２部材、５３…周壁部、５３１…開口、５４…誘導路、５５…突起部、５６…駆動機構、６０…搬送機構、６１…搬送経路、６２…減圧機構、６３…蓄積経路、７０…制御部、７１…要素特定部、７２…ゲーム制御部、７３…報知制御部、８１…検出装置、８２…回転機構、Ｂ…抽選体、Ｃ…軸線、Ｄ…送信機、Ｅ…候補要素、Ｆ1…第１抽選面、Ｆ2…第２抽選面、Ｆa…載置面、Ｆb…設置面、Ｈ1…第１抽選孔、Ｈ2…第２抽選孔、Ｌ…抽選空間、Ｏ，Ｏ1，Ｏ2…開口、Ｑ…目標地点、Ｒ…参照テーブル、Ｖ…報知音声、Ｘ…報知画像、Ｘ1…仮想キャラクタ、Ｘ2…実況メッセージ。
【図１】
0006889937.tif 000002
【図２】
0006889937.tif 000003
【図３】
0006889937.tif 000004
【図４】
0006889937.tif 000005
【図５】
0006889937.tif 000006
【図６】
0006889937.tif 000007
【図７】
0006889937.tif 000008
【図８】
0006889937.tif 000009
【図９】
0006889937.tif 000010
【図１０】
0006889937.tif 000011
【図１１】
0006889937.tif 000012
【図１２】
0006889937.tif 000013
【図１３】
0006889937.tif 000014
【図１４】
0006889937.tif 000015
【図１５】
0006889937.tif 000016
【図１６】
0006889937.tif 000017
【図１７】
0006889937.tif 000018
【図１８】
0006889937.tif 000019
【図１９】
0006889937.tif 000020
【図２０】
0006889937.tif 000021
【図２１】
0006889937.tif 000022
【図２２】
0006889937.tif 000023
【図２３】
0006889937.tif 000024
【図２４】
0006889937.tif 000025
【図２５】
0006889937.tif 000026
【図２６】
0006889937.tif 000027